(57)【要約】【課題】  温度特性に依らずに端部偏差が少なく、かつ、照明効率のよい光源装置を提供することを目的とする。【解決手段】  発光部と、端面から入射された前記発光部からの光を長手方向に導光して、側面から出射する柱状の導光体と、前記端面を含む前記導光体の端部を前記端面の少なくとも一部を除き、覆う導光体ホルダーと、連通する第１開口と第２開口とを有し、前記第１開口側に前記導光体ホルダーの端部を前記長手方向で摺動可能に保持し、又は、前記第１開口の内部で若しくは前記第１開口の上で前記導光体ホルダーの端部が前記長手方向に伸縮し、前記第２開口を介して前記発光部からの光を前記導光体に入射させ、又は、前記第２開口に前記発光部を配置し、前記第１開口と前記第２開口との間に光学フィルタを前記発光部と所定の間隔を維持して支持するホルダーとを備えた。【選択図】        図１９
2014006979.tif 000002
【特許請求の範囲】
【請求項１】
発光部と、端面から入射された前記発光部からの光を長手方向に導光して、側面から出射する柱状の導光体と、前記端面を含む前記導光体の端部を前記端面の少なくとも一部を除き、覆う導光体ホルダーと、
連通する第１開口と第２開口とを有し、
前記第１開口側に前記導光体ホルダーの端部を前記長手方向で摺動可能に保持し、又は、前記第１開口の内部で若しくは前記第１開口の上で前記導光体ホルダーの端部が前記長手方向に伸縮し、
前記第２開口を介して前記発光部からの光を前記導光体に入射させ、又は、前記第２開口に前記発光部を配置し、
前記第１開口と前記第２開口との間に光学フィルタを前記発光部と所定の間隔を維持して支持するホルダーとを備えた光源装置。
【請求項２】
前記ホルダーは、前記導光体ホルダーの端部の摺動又は伸縮によって前記導光体の端面が移動する範囲外で、前記光学フィルタを支持する請求項１に記載の光源装置。
【請求項３】
前記導光体ホルダーは、第１突起部を有し、前記長手方向に延在する板状部材上に載置され、
前記板状部材は、前記長手方向に形成された長孔を有し、
前記長孔は、前記第１突起部が挿入された請求項１又は２に記載の光源装置。
【請求項４】
前記導光体ホルダーは、第２突起部を有し、
前記板状部材は、前記長手方向に沿い、前記長孔に対して前記発光部側と反対側に形成された嵌合孔を有し、
前記嵌合孔は、前記第２突起部が挿入された請求項３に記載の光源装置。
【請求項５】
前記導光体ホルダーは、少なくとも前記導光体が光を出射する側面を除き、前記長手方向に亘って、前記導光体を覆う請求項１〜４のいずれかに記載の光源装置。
【請求項６】
前記第２突起部は、前記長手方向における前記導光体の中央部に形成された請求項５に記載の光源装置。
【請求項７】
前記ホルダーは、その内部に、前記第１開口側から前記第２開口側に向かって順に径が小さくなる第１中空部、第２中空部，第３中空部を有し、前記第２中空部内で前記光学フィルタを支持する請求項１〜６のいずれかに記載の光源装置。
【請求項８】
前記ホルダーは、その内部に、前記第１開口側から前記第２開口側に向かって順に径が大きくなる第１中空部、第２中空部を有し、前記第２中空部内で前記光学フィルタを支持する請求項１〜６のいずれかに記載の光源装置。
【請求項９】
前記ホルダーは、前記第１中空部内で前記導光体ホルダーの端部を摺動可能に保持する
、又は、
前記導光体ホルダーの端部は、前記第１中空部内で若しくは前記第１中空部上で前記長手方向に伸縮する請求項７又は８に記載の光源装置。
【請求項１０】
前記発光部は、前記板状部材の前記長手方向に折れ曲がった部分に、直接又は伝熱体を介して締結される請求項３〜９のいずれかに記載の光源装置。
【請求項１１】
前記導光体は、端部が屈曲した請求項１〜９のいずれかに記載の光源装置。
【請求項１２】
前記導光体は、端部が前記板状部材側に屈曲し、
前記発光部は、前記板状部材上に、直接又は伝熱体を介して締結される請求項３〜９のいずれかに記載の光源装置。
【請求項１３】
前記導光体は、端部が前記板状部材側に屈曲し、
前記発光部は、前記板状部材に形成された発光部用孔又は発光部用切り欠きを介して取り付けられた請求項３〜９のいずれかに記載の光源装置。
【請求項１４】
前記導光体は、端部が前記板状部材側に屈曲し、
前記発光部は、前記板状部材の前記長手方向に交差する方向に折れ曲がった部分に、直接又は伝熱体を介して締結される請求項３〜９のいずれかに記載の光源装置。
【請求項１５】
前記導光体は、端部が前記板状部材側に屈曲し、
前記発光部は、前記板状部材の前記長手方向に交差する方向に折れ曲がった部分に、形成された発光部用孔又は発光部用切り欠きを介して取り付けられた請求項３〜９のいずれかに記載の光源装置。
【請求項１６】
前記第１中空部及び前記第２中空部は、それぞれの径の中心軸が交差する位置に配置された請求項１１〜１５のいずれかに記載の光源装置。
【請求項１７】
前記導光体ホルダーは、前記第１開口の縁に対向する押し当て面部を有し、
前記押し当て面部は、前記導光体ホルダーの移動範囲を制限する請求項１〜１６のいずれかに記載の光源装置。
【請求項１８】
前記導光体及び前記導光体ホルダーは、互いに嵌合しあえる機構を有する請求項１〜１７のいずれかに記載の光源装置。
【請求項１９】
前記発光部及び前記ホルダーは、前記導光体の両端面側に形成された請求項１〜１８のいずれかに記載の光源装置。
【請求項２０】
前記発光部は、基板と、この基板上に形成された発光素子とからなる請求項１〜１９のいずれかに記載の光源装置。
【発明の詳細な説明】
【技術分野】
【０００１】
この発明は、画像読取装置（画像形成装置）の照明に使用される光源装置に関するものである。
【背景技術】
【０００２】
従来、画像読取装置の照明に使用される光源装置としては、画像読取装置の主走査方向に延在する透明な導光体の端部にＬＥＤなどの光源を配置し、光を入射させて、光が入射された導光体の側面から光を出射させるものがある（例えば、特許文献１〜３参照）。所謂サイドライト方式の光源装置である。
【０００３】
特許文献１に記載のような光源装置は、導光体の端面に光学フィルタを対向させて配置している。また、特許文献２及び３に記載のような光源装置は、導光体の周囲の温度変化による膨脹や収縮に対する対策を施している。なお、特許文献１及び２に記載のように導光体の両端面に光源を配置するものや、特許文献３に記載のように導光体の片方の端面に光源を配置するものがある。
【０００４】
導光体の片方の端面に光源を配置する光源装置の例としては、他に特許文献４〜８が挙げられる。特許文献４に記載のような導光体に対して、特許文献５〜８に記載のような導光体の端部が屈曲したものもある。もちろん、特許文献８の図１０に記載されているように、導光体の両端部が屈曲し、その屈曲した導光体の両端面に光源を配置するものもある。
【０００５】
また、他の画像読取装置の照明に使用される光源装置としては、画像読取装置の主走査方向に複数のＬＥＤなどの光源を配列したものがある（例えば、特許文献９，１０，１１参照）。特許文献９及び１０には、ＬＥＤから出射した光を導光部材によって導光し、反射板へ照射するものが記載されている。また、特許文献１１には、ＬＥＤから出射した光を反射板へ照射するものが記載されている。所謂ＬＥＤアレイ方式の光源装置である。
【０００６】
また、特許文献９，１０，１１には、画像読取装置の結像光学系を構成する反射板（第１ミラー）に関する記載もある。特に、特許文献１０の図５には、画像読取装置のキャリッジに支持された反射板（第１ミラー）が開示されている。
【０００７】
画像読取装置のキャリッジに支持された反射板（第１ミラー）には、特許文献１２及び１３に記載のものがある。特許文献１２及び１３では、反射板（第１ミラー）の両端部が支持されている。
【先行技術文献】
【特許文献】
【０００８】
【特許文献１】特開２００８−２８６１７号公報（第１図及び第５図）
【特許文献２】特開２０１０−１０３７４２号公報（第１図）
【特許文献３】特開２０１１−６１４１１号公報（第３図）
【特許文献４】特開２００６−８５９７５号公報（第２図及び第７図）
【特許文献５】特開２０１０−２１９８３号公報（第５図，第８図，第１１図）
【特許文献６】特開２００７−２０１８４５号公報（第７図）
【特許文献７】特開２００４−２６６３１３号公報（第１図及び第５図）
【特許文献８】特開平１１−５５４７６号公報（第４図、第１０図）
【特許文献９】特開２０１１−２１１４６４号公報（段落番号［００２３］，第３図〜第６図）
【特許文献１０】特開２０１１−４９８０８号公報（段落番号［００３７］，第３図，第４図，第５図）
【特許文献１１】特開２００７−３１８４０６号公報（第４図，第８図〜第１１図）
【特許文献１２】特開２００２−１３５５３３号公報（第３図）
【特許文献１３】特開２００４−２７９６６３号公報（第２図〜第７図）
【発明の概要】
【発明が解決しようとする課題】
【０００９】
画像読取装置などに用いられる線状光源装置は、画像読取装置の高速化と高解像度化に伴い、光源の高輝度化と長手方向かつ高さ方向に均一な光を供給することが求められている。長手方向に均一な光を供給する手段として、柱状の導光体に対して端面に対向するように発光体を配置する所謂サイドライト方式による光源が用いられている場合、導光体は必須の構成である。
【００１０】
サイドライト方式の光源装置は熱膨張によって導光体などの部品の相対位置が変動し、光学特性が変動するので、従来の光源装置では次のような対策を施している。特許文献１（図１（ａ））に開示されるものでは、発光素子１により出射光が光学フィルタ３を透過して、主走査方向に長い円柱状の導光体２の端面に入射させる事でこの課題を解決している。発光素子１と光学フィルタ３と導光体２はホルダー７によって適切な距離に保持されている。また、特許文献１の図１（ｂ）では、発光素子１上に光学フィルタ３を貼り付ける事で同様の働きを実現している。また、特許文献３（図３）に開示されるものでは、弾性体８を備える構造を用いている。特許文献４（図７）に開示されるものでは、ケース１１内に導光体４２の端部を保持するキャップ１７を備える構造を用いている。
【００１１】
しかし、従来の導光体などの光源装置を構成する部品の相対位置が変動することを抑制する対策は、光源装置の構造が複雑化してしまうという課題があった。
【００１２】
この発明は、上記のような課題を解消するためになされたもので、温度特性に依らずに端部偏差が少なく、かつ、照明効率のよい光源装置を提供することを目的とする。
【課題を解決するための手段】
【００１３】
請求項１の発明に係る光源装置は、発光部と、端面から入射された前記発光部からの光を長手方向に導光して、側面から出射する柱状の導光体と、前記端面を含む前記導光体の端部を前記端面の少なくとも一部を除き、覆う導光体ホルダーと、
連通する第１開口と第２開口とを有し、
前記第１開口側に前記導光体ホルダーの端部を前記長手方向で摺動可能に保持し、又は、前記第１開口の内部で若しくは前記第１開口の上で前記導光体ホルダーの端部が前記長手方向に伸縮し、
前記第２開口を介して前記発光部からの光を前記導光体に入射させ、又は、前記第２開口に前記発光部を配置し、
前記第１開口と前記第２開口との間に光学フィルタを前記発光部と所定の間隔を維持して支持するホルダーとを備えたことを特徴とするものである。
【００１４】
請求項２の発明に係る光源装置は、前記ホルダーが、前記導光体ホルダーの端部の摺動又は伸縮によって前記導光体の端面が移動する範囲外で、前記光学フィルタを支持する請求項１に記載のものである。
【００１５】
請求項３の発明に係る光源装置は、前記導光体ホルダーが、第１突起部を有し、前記長手方向に延在する板状部材上に載置され、
前記板状部材が、前記長手方向に形成された長孔を有し、
前記長孔が、前記第１突起部が挿入された請求項１又は２に記載のものである。
【００１６】
請求項４の発明に係る光源装置は、前記導光体ホルダーが、第２突起部を有し、
前記板状部材が、前記長手方向に沿い、前記長孔に対して前記発光部側と反対側に形成された嵌合孔を有し、
前記嵌合孔が、前記第２突起部が挿入された請求項３に記載のものである。
【００１７】
請求項５の発明に係る光源装置は、前記導光体ホルダーが、少なくとも前記導光体が光を出射する側面を除き、前記長手方向に亘って、前記導光体を覆う請求項１〜４に記載のものである。
【００１８】
請求項６の発明に係る光源装置は、前記第２突起部が、前記長手方向における前記導光体の中央部に形成された請求項５に記載のものである。
【００１９】
請求項７の発明に係る光源装置は、前記ホルダーが、その内部に、前記第１開口側から前記第２開口側に向かって順に径が小さくなる第１中空部、第２中空部，第３中空部を有し、前記第２中空部内で前記光学フィルタを支持する請求項１〜６のいずれかに記載のものである。
【００２０】
請求項８の発明に係る光源装置は、前記ホルダーが、その内部に、前記第１開口側から前記第２開口側に向かって順に径が大きくなる第１中空部、第２中空部を有し、前記第２中空部内で前記光学フィルタを支持する請求項１〜６のいずれかに記載のものである。
【００２１】
請求項９の発明に係る光源装置は、前記ホルダーが、前記第１中空部内で前記導光体ホルダーの端部を摺動可能に保持する
、又は、
前記導光体ホルダーの端部が、前記第１中空部内で若しくは前記第１中空部上で前記長手方向に伸縮する請求項７又は８に記載のものである。
【００２２】
請求項１０の発明に係る光源装置は、前記発光部が、前記板状部材の前記長手方向に折れ曲がった部分に、直接又は伝熱体を介して締結される請求項３〜９のいずれかに記載のものである。
【００２３】
請求項１１の発明に係る光源装置は、前記導光体が、端部が屈曲した請求項１〜９のいずれかに記載のものである。
【００２４】
請求項１２の発明に係る光源装置は、前記導光体が、端部が前記板状部材側に屈曲し、
前記発光部が、前記板状部材上に、直接又は伝熱体を介して締結される請求項３〜９のいずれかに記載のものである。
【００２５】
請求項１３の発明に係る光源装置は、前記導光体が、端部が前記板状部材側に屈曲し、
前記発光部が、前記板状部材に形成された発光部用孔又は発光部用切り欠きを介して取り付けられた請求項３〜９のいずれかに記載のものである。
【００２６】
請求項１４の発明に係る光源装置は、前記導光体が、端部が前記板状部材側に屈曲し、
前記発光部が、前記板状部材の前記長手方向に交差する方向に折れ曲がった部分に、直接又は伝熱体を介して締結される請求項３〜９のいずれかに記載のものである。
【００２７】
請求項１５の発明に係る光源装置は、前記導光体が、端部が前記板状部材側に屈曲し、
前記発光部が、前記板状部材の前記長手方向に交差する方向に折れ曲がった部分に、形成された発光部用孔又は発光部用切り欠きを介して取り付けられた請求項３〜９のいずれかに記載のものである。
【００２８】
請求項１６の発明に係る光源装置は、前記第１中空部及び前記第２中空部が、それぞれの径の中心軸が交差する位置に配置された請求項１１〜１５のいずれかに記載のものである。
【００２９】
請求項１７の発明に係る光源装置は、前記導光体ホルダーが、前記第１開口の縁に対向する押し当て面部を有し、
前記押し当て面部が、前記導光体ホルダーの移動範囲を制限する請求項１〜１６のいずれかに記載のものである。
【００３０】
請求項１８の発明に係る光源装置は、前記導光体及び前記導光体ホルダーが、互いに嵌合しあえる機構を有する請求項１〜１７のいずれかに記載のものである。
【００３１】
請求項１９の発明に係る光源装置は、前記発光部及び前記ホルダーが、前記導光体の両端面側に形成された請求項１〜１８のいずれかに記載のものである。
【００３２】
請求項２０の発明に係る光源装置は、前記発光部が、基板と、この基板上に形成された発光素子とからなる請求項１〜１９のいずれかに記載のものである。
【発明の効果】
【００３３】
以上のように、この発明によれば、導光体ホルダーとホルダーによって、温度特性に依らずに端部偏差が少なく、かつ、照明効率のよい光源装置を得ることができる。
【図面の簡単な説明】
【００３４】
【図１】この発明の実施の形態１に係る光源装置の導光体とその周辺の分解斜視図である。
【図２】この発明の実施の形態１に係る光源装置の筐体となる板状部材の平面図（折り曲げ前）である。
【図３】この発明の実施の形態１に係る光源装置の分解斜視図である。
【図４】この発明の実施の形態１に係る光源装置の斜視図である。
【図５】この発明の実施の形態１に係る光源装置の平面図（上面図）である。
【図６】この発明の実施の形態１に係る光源装置の側面図（長手方向）である。
【図７】この発明の実施の形態１に係る光源装置の側面図（短手方向）である。
【図８】この発明の実施の形態１に係る光源装置の断面図（長手方向）である。
【図９】この発明の実施の形態１に係る光源装置の発光部周辺断面図（長手方向，光軸（主要な光路）付き）である。
【図１０】この発明の実施の形態１に係る光源装置の断面図（短手方向，光軸（主要な光路）付き）である。
【図１１】この発明の実施の形態１に係る光源装置の断面図（短手方向）である。
【図１２】この発明の実施の形態１に係る光源装置の筐体となる板状部材の平面図（折り曲げ前）である。
【図１３】この発明の実施の形態１に係る光源装置の断面図（短手方向）である。
【図１４】この発明の実施の形態１に係る光源装置の断面図（短手方向）である。
【図１５】この発明の実施の形態１に係る光源装置の断面図（短手方向）である。
【図１６】この発明の実施の形態１に係る光源装置の断面図（短手方向）である。
【図１７】この発明の実施の形態１に係る光源装置（反射板支持構造）の筐体となる板状部材の平面図（折り曲げ前）と光源装置（反射板支持構造）の断面図（短手方向）である。
【図１８】この発明の実施の形態１に係る光源装置の発光部周辺断面図（長手方向）である。
【図１９】この発明の実施の形態１に係る光源装置の発光部周辺断面図（長手方向）と導光体中央付近断面図（長手方向）である。
【図２０】この発明の実施の形態１に係る光源装置の発光部周辺断面図（長手方向）である。
【図２１】この発明の実施の形態１に係る光源装置の発光部周辺断面図（長手方向）である。
【図２２】この発明の実施の形態２に係る光源装置の筐体となる板状部材の平面図（折り曲げ前）である（仮想的に、導光体，導光体ホルダー，ホルダーを載置）。
【図２３】この発明の実施の形態２に係る光源装置の発光部周辺断面図（長手方向）と導光体中央付近断面図（長手方向）である。
【図２４】この発明の実施の形態２に係る光源装置の筐体となる板状部材の平面図（折り曲げ前）である。
【図２５】この発明の実施の形態２に係る光源装置の発光部周辺断面図（長手方向）と導光体中央付近断面図（長手方向）である。
【図２６】この発明の実施の形態２に係る光源装置の筐体となる板状部材の平面図（折り曲げ前）である（仮想的に、導光体，導光体ホルダー，ホルダーを載置）。
【図２７】この発明の実施の形態２に係る光源装置の発光部周辺断面図（長手方向）である。
【図２８】この発明の実施の形態２に係る光源装置の筐体となる板状部材の平面図（折り曲げ前）である（仮想的に、導光体，導光体ホルダー，ホルダーを載置）。
【図２９】この発明の実施の形態２に係る光源装置の発光部周辺断面図（長手方向）である。
【図３０】この発明の実施の形態２に係る光源装置のホルダーの断面図（長手方向）である。
【図３１】この発明の実施の形態２に係る光源装置のホルダーの断面図（長手方向）である。
【図３２】この発明の実施の形態２に係る光源装置の発光部周辺断面図（長手方向）と導光体中央付近断面図（長手方向）である。
【図３３】この発明の実施の形態２に係る光源装置の発光部周辺断面図（長手方向）と導光体中央付近断面図（長手方向）である。
【図３４】この発明の実施の形態２に係る光源装置の発光部周辺断面図（長手方向）と導光体中央付近断面図（長手方向）である。
【図３５】この発明の実施の形態２に係る光源装置の発光部周辺断面図（長手方向）と導光体中央付近断面図（長手方向）である。
【図３６】この発明の実施の形態２に係る光源装置の発光部周辺断面図（長手方向）と導光体中央付近断面図（長手方向）である。
【図３７】この発明の実施の形態２に係る光源装置の発光部周辺断面図（長手方向）と導光体中央付近断面図（長手方向）である。
【図３８】この発明の実施の形態２に係る光源装置の発光部周辺断面図（長手方向）である。
【図３９】この発明の実施の形態２に係る光源装置の発光部周辺断面図（長手方向）である。
【図４０】この発明の実施の形態２に係る光源装置の発光部周辺断面図（長手方向）である。
【図４１】この発明の実施の形態３に係る光源装置の筐体となる板状部材の平面図（折り曲げ前）である（仮想的に、導光体，導光体ホルダー，ホルダーを載置）。
【図４２】この発明の実施の形態３に係る光源装置の発光部周辺断面図（短手方向）である。
【図４３】この発明の実施の形態３に係る光源装置のホルダー周辺側面図である。
【図４４】この発明の実施の形態３に係る光源装置のホルダー周辺側面図である。
【図４５】この発明の実施の形態３に係る光源装置の発光部周辺断面図（短手方向）である。
【図４６】この発明の実施の形態３に係る光源装置のホルダー周辺側面図である。
【図４７】この発明の実施の形態３に係る光源装置の筐体となる板状部材の平面図（折り曲げ前）である（仮想的に、導光体，導光体ホルダー，ホルダーを載置）。
【発明を実施するための形態】
【００３５】
本願においては、本願に係る光源装置及び反射板支持構造を組み込む画像読取装置（画像形成装置）の主走査方向と副走査方向（搬送方向）とを、それぞれ、光源装置及び反射板支持構造の長手方向と短手方向とする。なお、光源装置及び反射板支持構造の筐体の長辺方向が長手方向に対応し、光源装置及び反射板支持構造の筐体の短辺方向が短手方向に対応する。主走査方向は、本願に係る光源装置が線状光源として延びる方向ともいえる。つまり、主走査方向（長手方向，長辺方向）、副走査方向（短手方向，短辺方向）である。これは、光源装置及び反射板支持構造の筐体が正方形である場合を考慮しているためである。なお、本願における図１〜図４７に示す矢印Ｘが主走査方向（長手方向，長辺方向）を指し、矢印Ｙが副走査方向（短手方向，短辺方向）を指し、矢印Ｙが光源装置及び反射板支持構造の厚み方向（高さ方向）を指している。但し、図１７においては、反射板支持構造の設置位置の一例として矢印Ｘ，Ｙ，Ｚを付している。また、図３０及び図３１においては、実施の形態３に対応する矢印Ｘ，Ｙ，Ｚを括弧内に付している。つまり、括弧外の矢印Ｘ，Ｙ，Ｚが、実施の形態２に対応するものである。
【００３６】
実施の形態１．
以下、この発明の実施の形態１について図１〜図２１を用いて説明する。図６（ａ）は図５の点線矢印Ａから見た光源装置の側面図、図６（ｂ）は図５の点線矢印Ｂから見た光源装置の側面図、図７（ａ）は図５の点線矢印Ｃから見た光源装置の側面図、図７（ｂ）は図５の点線矢印Ｄから見た光源装置の側面図、図８は図５の一点鎖線ＥＦによる光源装置の断面図、図９は図５の一点鎖線ＥＦによる光源装置の発光部周辺断面図、図１１は図５の一点鎖線ＧＨによる光源装置の断面図、図１１（ａ）は図５の一点鎖線ＧＨによる光源装置の断面図、図１１（ｂ）は図５の一点鎖線ＩＪによる光源装置の断面図である。
【００３７】
図１〜図２１において、１は可視光又は可視光外の波長の光若しくはその両方を発するＬＥＤなど点光源によって構成される発光素子、２は上面に発光素子が少なくとも一つ形成された基板（ＬＥＤ基板）、３は発光素子１及び基板からなる発光部、４は端面４ａ（光入射部４ａ）から入射された発光部３（発光素子１）からの光を長手方向（画像読取装置の主走査方向、単に、主走査方向と称する）に導光して、側面４ｂ（光出射部４ｂ）から出射する柱状の導光体である。導光体４は透明な樹脂製のものが好適である。導光体４には主走査方向に亘って少なくとも一列の光散乱パターン４ｃが、連続的又は間欠的に形成されている。本願では、二列の場合を用いて説明する。なお、光出射部４ｂは、導光体４における光散乱パターン４ｃと対向する位置を示すものである。よって、光散乱パターン４ｃが二列形成された場合は、光出射部４ｂも主走査方向に二列並ぶことになるが、光散乱パターン４ｃ同士の位置関係によっては、二列の光出射部４ｂの領域の一部又は全部が重複することもある。本願では、光出射部４ｂへ符号の添付を省略している図、光散乱パターン４ｃの図示を省略している図がある。光散乱パターン４ｃは少なくとも画像読取装置の主走査方向の有効読取領域に対応する部分に少なくとも形成されている。４ｄは導光体４の中央付近の下部に形成された突起部である。図中、同一符号は、同一又は相当部分を示しそれらについての詳細な説明は省略する。
【００３８】
図１〜図２１において、５は端面４ａを含む導光体４の端部を端面４ａの少なくとも一部（発光素子１からの光が入射するために必要な部分）と光が出射する部分の側面とを除き、覆う導光体ホルダーである。導光体ホルダー５における導光体４と対向する部分は白色などの反射率がよい色を有していることが望ましいが、これに限るものではない。５ａは導光体ホルダー５が導光体４を係止する導光体係止部、５ｂは導光体ホルダー５の長手方向の両端部にそれぞれ形成された第１突起部、５ｃは導光体ホルダー５の長手方向の中央付近に形成された第２突起部、５ｄは突起部４ｄが挿入される嵌合孔（導光体４用）、６は発光部３（発光素子１）からの光をフィルタリングする、又は、発光部３（発光素子１）からの光から励起光（変換されなかった波長の光も含む複合光であってもよい）を生成する光学フィルタである。光学フィルタ６は、ガラスやＰＥＴ樹脂シートなどを基材として光学特性を変換するものである。例えば、光学フィルタ６は、蛍光体などを用いて励起光を得るものや、バンドパスフィルタなどの不要な波長を除去するものである。光学フィルタ６はホルダー７に接着などにより固定されている。発光素子１が目的とする波長以外の副次的光学波長を持つ場合は、不要な波長帯域を阻止する働きを持つ光学フィルタ６を光路に挿入する必要がある。図中、同一符号は、同一又は相当部分を示しそれらについての詳細な説明は省略する。
【００３９】
図１〜図２１において、８は導光体ホルダー５及びホルダー７を支持する板状部材（板金加工によるものが好適）である。板状部材８は、間接的に導光体４及び光学フィルタ６を支持している（基板２が板状部材８に接触していない場合は、基板２も板状部材８に間接的に支持されているといえる）。８ａは板状部材８が折り曲げられる前の平板状の板状部材（金属製）、８ｂは第１突起部５ｂが挿入される長孔（長手方向に延びる孔）、８ｃは第２突起部５ｃが挿入される嵌合孔（導光体ホルダー５用）、９は基板２の熱を板状部材８へ伝える伝熱体（シート状以外のグリース状のものも含む、例えば熱伝導性のコンパウンドなど）、１０は板状部材８とホルダー７とを間に基板２と伝熱体９とを挟みこんで締結するネジである。ネジ１０の図示を省略した図もある。ホルダー７，基板２，伝熱体９（シート状のものの場合）にはネジ１０用のネジ穴が穿たれている。基板２，伝熱体９におけるネジ穴は溝を切っていない単なる連通孔でもよい。伝熱体９を省略してもよい。図中、同一符号は、同一又は相当部分を示しそれらについての詳細な説明は省略する。
【００４０】
図１〜図２１において、１１は導光体４と長手方向に平行に配列され、導光体４から出射される副光（詳細は後述する）を反射し、画像読取装置の原稿設置台方向（原稿や紙幣などの画像読取装置の読取対象が存在する方向）に照射するものであって、金属蒸着面などで構成され、長手方向に延在し、薄い板状あるいはシート状のものである反射板（ミラー）、８０１は反射板１１を支持する板状部材８が折り曲げられ形成された反射板支持部である。反射板支持部８０１は、主走査方向に沿って間欠的に複数配列され、反射板１１を支持している。反射板支持部８０１は傾斜しているので斜面部８０１ともいえる。反射板１１は反射板支持部８０１に接着などにより固定されており、導光体４及び原稿設置台（原稿や紙幣などの画像読取装置の読取対象が存在する位置）に対して適切な距離と角度を保っている。８０２は導光体ホルダー５を押える板状部材８が折り曲げられ形成された導光体ホルダー固定部である。導光体ホルダー固定部８０２は、主走査方向（長手方向）に沿って間欠的に複数配列される（一つでもよい。導光体ホルダー固定部８０２と板状部材８の底面（矩形形状を有する底部）とにより、板状部材８は導光体ホルダー５を挟み込んで保持する。図中、同一符号は、同一又は相当部分を示しそれらについての詳細な説明は省略する。
【００４１】
図１〜図２１において、８０３は板状部材８の主走査方向（長手方向）に沿った一端のうち、複数の反射鏡支持部８０１以外の部分が、それぞれ板状部材８と連続する複数の板状端部（反射板１１側）、８０４は板状部材８の主走査方向（長手方向）に沿った一端のうち、導光体ホルダー固定部８０２以外の部分が、それぞれ板状部材８と連続する複数の板状端部（導光体ホルダー５側）、８０５は光源装置の筐体である板状部材８を画像読取装置本体（或いは、画像読取装置のキャリッジ）に取り付けるための接続インターフェース手段であるネジ穴、８０６はネジ１０を通すネジ穴を有し、板状部材８に形成され、導光体ホルダー５，発光部３，伝熱体９がネジ１０によって締結される締結部である。キャリッジの図示は省略する。なお、ネジ穴８０５の周辺の板状部材８とネジ穴８０５とを廃して、締結部８０６を板状部材８の端部（短手方向の側面）としてもよい。８０７は板状部材８に形成された画像読取装置の読取対象（原稿、紙幣など）に照射された光の反射光が通過する反射光通過孔（アパーチャ）である。なお、読取対象の搬送方向は、光源装置の短手方向（画像読み取り装置の副走査方向、単に、副走査方向と称する）である。主走査方向と副走査方向は交差しており、一般的には直交していることが多い。８０８は板状端部８０３の先端が一体となった一体端部である。図中、同一符号は、同一又は相当部分を示しそれらについての詳細な説明は省略する。
【００４２】
実施の形態１に係る光源装置における導光体４の端面４ａの形状や導光体４の長手方向の断面の形状は、図１〜図２１に示すような円柱状のものでなくても、多角形状でもひょうたん状でもよいし、歪な形でもよい。もちろん、これらの組み合わせでもよい。同じく、ホルダー７に挿入する部分の導光体ホルダー５の外形や、導光体ホルダー５が挿入される部分のホルダー７の内形も、円柱状のものでなくても、多角形状でもひょうたん状でもよいし、歪な形でもよい。もちろん、これらの組み合わせでもよい。導光体ホルダー５とホルダー７との関係は、導光体ホルダー５のホルダー７に挿入された部分がホルダー７と接触して導光体ホルダー５が摺動可能であるか、導光体ホルダー５のホルダー７に挿入された部分がホルダー７と接触せずに、導光体ホルダー５が伸縮可能であるかのいずれかであればよい。詳細は後述するが、導光体ホルダー５のホルダー７に挿入された部分がホルダー７と接触しない場合でも、発光部３からの発せられた光の大部分は、ホルダー７と導光体ホルダー５との隙間から漏れないようにする必要がある。
【００４３】
導光体ホルダー５は、導光体４を保持するだけなく、発光部３及び導光体４からの意図しない光を抑制する働きを持つ。導光体ホルダー５は板状部材８に次の３点で筐体（板状部材８）と適切な位置をとる。３点とは、すなわち、二つの第１突起部５ｂと二つの長孔８ｂ，第２突起部５ｃと嵌合孔８ｃである。導光体ホルダー５は板状部材８の全長より短く、導光体ホルダー５の端面とホルダー７の端面は対向しており、そのギャップ長は導光体ホルダー５の温度特性による伸び分より広い。前述のとおり、導光体４は長手方向には完全に固定されていないため、導光体ホルダー５が温度変化による伸縮をした場合も反りがなく短手方向に導光体４が保持される。導光体ホルダー５は端部で導光体４の全周囲を保持し、中央部では光出射部４ｂを露出させる開口（導光体ホルダー５）を持つ。導光体ホルダー５は端部における導光体４の全周囲を保持する部分がホルダー７に挿入される。
【００４４】
図１は実施の形態１に係る光源装置において、光源装置の筐体である板状部材８に導光体ホルダー５を載置する前の光源装置を示している。図１に示すように、導光体ホルダー５は、導光体４の端面４ａの周囲を覆う孔が長手方向の両端部に形成されている。この端面４ａを覆う孔の部分の導光体ホルダー５がホルダー７に挿入することができる（実施の形態１の場合）。ホルダー７は、連通する第１開口と第２開口とを有し、ホルダー７の第１開口側に導光体ホルダー５の端部及び導光体ホルダー５に支持された導光体４を長手方向で摺動可能に保持するものといえる。なお、本願では、導光体４及び導光体ホルダー５は、膨脹率が同じ又は同程度の樹脂を使用する場合を前提に説明を行う。
【００４５】
実施の形態１に係る光源装置の導光体４は、突起部４ｄが、導光体ホルダー５の嵌合孔５ｄに挿入されて嵌合され、両端部が、それぞれ導光体ホルダー５の両端部にある孔の内部に配置される。また、導光体係止部５ａは導光体４の長手方向の伸縮を固定するものではなく、導光体４の長手方向の反りや撓みを制限するものであり、導光体４が導光体ホルダー５から外れないようにするためのものである。導光体４及び導光体ホルダー５は、互いに嵌合しあえる機構があればよいので、突起部４ｄと嵌合孔５ｄとの関係が逆転させて、導光体４に嵌合孔を形成し、導光体ホルダー５に突起部を形成してもよい。
【００４６】
図１に示すように、ホルダー７における導光体ホルダー５が挿入される面（第１開口側）の反対の面（第２開口側）に基板２と伝熱体９の保持するピンが二つ形成され、これらのピンに対応するように、基板２と伝熱体９とにそれぞれピン穴が形成されている。基板２と伝熱体９とを重ねて、ピン穴に、ホルダー７のピンを通して、板状部材８の締結部６にネジ１０で、基板２，伝熱体９，ホルダー７を固定することで、実施の形態１に係る光源装置は、ホルダー７の第２開口に発光素子１（発光部３）を配置し、ホルダー７の第１開口及び第２開口の間に光学フィルタ６を発光素子１（発光部３）と所定の間隔を維持して支持している状態となる。詳細は、後述の図３を用いた説明にて行なう。本願では、導光体４の両端面側に発光部３及びホルダー７が形成されたものを用いて説明するが、導光体４の片方の端面側にのみ発光部３及びホルダー７を形成してよい。この場合、もちろん発光部３がない方の導光体４の端部に、第２開口が封鎖され、発光部３がない状態のホルダー７を配置してもよい。また、この状態のホルダー７の内部(導光体４の端面を含む)に、光学フィルタ１０の代わりに反射部材を形成してもよい。
【００４７】
図２は実施の形態１に係る光源装置の筐体となる板状部材８の折り曲げ前の板状部材８ａを示している。板状部材８はアルミニウムなどの放熱性のよい板金によって形成されている。板状部材８ａには、長孔８ｂ，嵌合孔８ｃ，反射板支持部８０１（板状端部８０３），導光体ホルダー固定部８０２（板状端部８０４），ネジ穴８０５，締結部８０６，反射光通過孔８０７を形成するための切り欠きや穴（孔）が設けられている。図２に記載の一点鎖線及び二点鎖線に沿って板状部材８ａを折り曲げることで、実施の形態１に係る光源装置の筐体となる板状部材８となる。詳しくは、図２に示す板状部材８ａを二点鎖線に沿って谷折りする。同じく、図２に示す板状部材８ａを一点鎖線に沿って谷折りするが、反射板支持部８０１に相当する部分は、反射板１１を支持するために、板状部材８ａの外周寄り側の一点鎖線は山折りとする。谷折り及び山折りという表現は、図２に示す板状部材８ａの面（表面）側に対しての相対的な表現であるので、図２に示す板状部材８ａの面（表面）の反対面（裏面）から見た場合は、谷折りと山折りとの折り方が逆転する。
【００４８】
さらに、詳細に説明すると、図２に示す二点鎖線部で板状部材８ａを内側（図面に対して手前側）に折り曲げることにより、箱型で、副走査方向（短辺方向）の断面が、コ字状の筐体（板状部材８）が形成される。すなわち、折り曲げることにより、矩形形状を有する底部（底面）と、この底部の一方の長辺に、内側に折り曲げられた長辺側壁部（板状端部８０３，板状端部８０４，一体端部８０８）を有し、底部の他方の長辺に、底部の短手方向から所定の角度で内側に折り曲げられ、底部の短辺に内側に折り曲げられた短辺側壁部（締結部８０６）を有する。なお、この短辺側壁部に連続し、長手方向に折り曲げられ、斜面部８０１（反射板支持部８０１）に対し長辺側壁部と反対の方向に対向して長手方向に延在する放熱板を形成してもよい（図示は省略するが、反射板１１の反射面の反対の面側に放熱板を形成する）。また、前述のとおり、ネジ穴８０５の周辺の板状部材８とネジ穴８０５とを廃して、短辺側壁部（締結部８０６）を板状部材８の端部（短手方向の側面）としてもよい（図示は省略）。
【００４９】
図３を用いて、導光体ホルダー５及びホルダー７を折り曲げ後の板状部材８へ固定する説明を行う。まず、図３においては、導光体ホルダー５の陰になって直接的には図示されていない導光体ホルダー５の第２突起部５ｃを板状部材８の嵌合孔８ｃに挿入して嵌合させる。その際に、同時に導光体ホルダー５の第１突起部５ｂを板状部材８の長孔８ｂに挿入する。なお、第１突起部５ｂは、長手方向に移動可能に長孔８ｂへ挿入されている。これにより、導光体ホルダー５の長手方向の位置が光源装置の主走査方向に沿った状態で保持することができる。導光体ホルダー５及び板状部材８は、互いに嵌合しあえる機構があればよいので、第２突起部５ｃと嵌合孔８ｃとの関係が逆転させて、導光体ホルダー５に嵌合孔を形成し、板状部材８に第２突起部を形成してもよい。これは、第１突起部５ｂと長孔８ｂとの関係においても同じことがいえる。
【００５０】
そして、ネジ１０を用いて、ホルダー７を板状部材８の締結部８０６に固定する。この際、基板２及び伝熱体９もホルダー７とネジ１０によって共締めされる。よって、基板２で生じた熱が、伝熱体９を介して効率よく板状部材８（締結部８０６）へ伝わり、基板２で生じた熱が排熱される。例えば、伝熱体９は熱を伝える働きを持つシート状のシリコーンシートのようなもので形成され、密着性と熱伝導性が良いものである。前述のとおり、伝熱体９は基板２と締結部８０６の間に配置する。板状部材８は発光部３（発光素子１，基板２）の熱を逃がす役割を持つ。発光部３から発生した熱は基板２を通じて伝熱体９を介し、締結部８０６に伝えられる。締結部８０６からは板状部材８全体に熱が分散される。締結部８０６からは板状部材８全体に熱が分散される。
【００５１】
図４〜図７は、実施の形態１に係る光源装置を示している。つまり、図４〜図７は導光体ホルダー５及びホルダー７を折り曲げ後の板状部材８へ固定した後を示している。なお、発光部３（基板２）が締結される締結部８０６は、板状部材８（板状部材８ａ）の長手方向に折れ曲がった部分に、直接又は伝熱体９を介して締結されるものであるといえる。図４〜図７では、厚み方向（高さ方向）において、板状端部８０３と板状端部８０４とが導光体ホルダー５，ホルダー７，反射板１１よりも低背であるが、板状部材８（板状部材８ａ）の寸法を変更して、板状端部８０３と板状端部８０４を導光体ホルダー５，ホルダー７，反射板１１よりも高くしてよい。
【００５２】
図８は、実施の形態１に係る光源装置における導光体４の長手方向の中心付近の断面図である。図８に示すように、導光体４は突起部４ｄにより導光体４の中心付近を導光体ホルダー５（嵌合孔５ｄ）によって固定されているが、導光体４の両端部は導光体ホルダー５の孔に挿入されているので、温度変化による導光体４の長手方向に伸縮は導光体ホルダー５によって制限されない。導光体ホルダー５は、第２突起部５ｃを介して導光体ホルダー５の中心付近を板状部材８（嵌合孔８ｃ）によって固定されているが、第１突起部５ｂが長孔８ｂに挿入されているために、温度変化による導光体ホルダー５の長手方向に伸縮は板状部材８によって制限されない。
【００５３】
図４〜図８から、導光体ホルダー５は、少なくとも導光体４が光を出射する側面４ｂ（光出射部４ｂ）を除き、長手方向に亘って、導光体４を覆うものであることが分かる。特に、図８から、導光体ホルダー５は、二つの第１突起部５ｂを有し、長手方向に延在する板状部材８上に載置され、板状部材８は、長手方向に形成された二つの長孔８ｂを有し、長孔８ｂは、第１突起部５ｂが挿入されていることが分かる。同じく、導光体ホルダー５は、第２突起部５ｃを有し、板状部材８は、長手方向に沿い、長孔８ｂに対して発光部３側と反対側に形成された嵌合孔８ｃを有し、嵌合孔８ｃは、前記第２突起部５ｃが挿入されていることが分かる。第２突起部５ｃは、長手方向における導光体４の中央部に形成すると、導光体４が周囲の温度変化により、膨脹や収縮した場合でも、導光体４の中央部を基点に伸び縮みすることになる。特に、導光体ホルダー５の第２突起部５ｃと嵌合孔５ｄとを副走査方向（短手方向）の同じ断面にくるように配置するとよい。
【００５４】
よって、前述の前提のとおり、導光体４と導光体ホルダー５とに膨脹率が近い材質を使う場合は、第２突起部５ｃを長手方向における導光体４の中央部に形成することで、導光体４が導光体ホルダー５から突出することはない。もちろん、導光体４の膨脹率が導光体ホルダー５の膨脹率よりも大きい場合でも、第２突起部５ｃを長手方向における導光体４の中央部に形成することで、導光体４が導光体ホルダー５から突出しない長手方向の長さを調整することは容易である。この場合、長手方向の両端部に形成された導光体ホルダー５における導光体４の端面４ａの周囲を覆う孔の厚みを、導光体４が孔（導光体ホルダー５）から抜け落ちないようにする必要がある。もちろん、孔（導光体ホルダー５）から抜けてしまう場合でも、導光体４の姿勢を、導光体４と導光体ホルダー５との嵌合状態や導光体係止部５ａによって維持できるのであれば問題はない。
【００５５】
また、導光体４の膨脹により、導光体４（導光体４の端面４ａ）が導光体ホルダー５から突出する寸法に導光体４を設定した場合でも、第２突起部５ｃが長手方向における導光体４の中央部に形成されているので、導光体ホルダー５から突出する導光体４の長さが両端部の導光体ホルダー５で同じ長さとなる。そこで、突出する導光体４の長さを考慮して、導光体４とホルダー７（光学フィルタ６）とが接触しないように、導光体ホルダー５とホルダー７（ホルダー７内の光学フィルタ６の位置）との位置関係を設定すればよい。
【００５６】
次に、実施の形態１に係る光源装置の照明としての動作について図９及び図１０により説明する。光源装置は画像読取装置の照明として使用されるものであり、図１０には、読取装置の天板（原稿設置台）と画像読取装置の読取対象が記載されている。図９に示すように、発光素子１（発光部３）から発せられた光は、光学フィルタ６によって、特定の波長の光が選択されて（特定の波長の光が遮断されて）、光入射部４ａ（端面４ａ）から導光体４に入射される。或いは、光学フィルタ６によって生じた励起光（変換されなかった波長の光も含む複合光であってもよい）が光入射部４ａ（端面４ａ）から導光体４に入射される。入射された光学フィルタ６を介した発光素子１からの光は、導光体４内部の壁面を反射しながら、長手方向に導光される。図９の実線矢印が発光素子１から発した光の光路の一例を示している。なお、発光部３は導光体４の端面４ａから光を入射するＬＥＤ光源などの光源素子（発光素子１）であり、基板２に、はんだ接合などにより固定され、基板２により電流駆動され発光するものである。本願では、基板２の内外の配線の図示は省略する。
【００５７】
このように、導光体４の内部を反射しながら導光される光が、導光体４に形成された光散乱パターン４ｃに当ると、光散乱パターン４ｃと対向する側面４ｂ（光出射部４ｂ）から出射される。なお、光散乱パターン４ｃは、導光体４上に印刷されるものでもよいし、導光体４の表面に凹凸をつけたプリズムパターンでもよい。また、光散乱パターン４ｃの形状を主走査方向において変化させてもよいのはいうまでもない。つまり、導光体４は、透明な樹脂で形成され、長手方向に延在し、側面形状が円筒状で長手方向全域に伸びる二箇所の光散乱パターン４ｃを持つ柱状のものである。前述のとおり、導光体４の側面形状は円筒に限ったものではなく、導光体４の端面は円形に限らない。
【００５８】
図１０においては、一方の光出射部４ｂから出射された光（主光）は、副走査方向に対して斜めに進み、読取装置の天板（透明板）を介して、読取対象に照射される。他方の光出射部４ｂから出射された光（副光）は、副走査方向に対して「ほぼ平行」又は「一方の光出射部４ｂから出射された光に対して浅い角度」で進み、反射板１１で反射して、読取装置の天板（透明板）を介して、読取対象に照射される。つまり、反射板１１は、導光体４と長手方向に平行に配列され、導光体４から出射される副光を反射し、読取対象方向に照射するものであって、金属蒸着面などで構成され、長手方向に延在し、薄い板状あるいはシート状のものである。反射板１１は導光体４，読取装置の天板（透明板）及び読取対象に対して適切な距離と角度を保っている。光路によって、「主光」と「副光」とを言い分けているが、これは光量や輝度などの光の各種条件の優劣を示すものではない。
【００５９】
導光体４から出射して読取対象に照射された光は、読取対象で反射されて、反射光通過孔８０７を介して、読取装置の結像光学系（縮小光学系，正立等倍光学系，オフアキシャル光学系，テレセントリック（両テレセントリック）光学系など）にて結像されて受光部によってデータ化される。なお、読取装置の天板は、必須の構成ではないが、天板が存在する場合は天板の屈折率を考慮して、光源装置の光出射部４ｂと光散乱パターン４ｃとの配置を決定する必要がある。また、読取対象の搬送は、読取対象自体を搬送（副走査方向に移動）してもよいし、光源装置を搭載したキャリッジ（画像読取装置）が搬送（副走査方向に移動）してもよい。図示は省略するが、実施の形態１（本願）に係る光源装置を適用する結像光学系が正立等倍光学系である場合は、主走査方向に延びる反射光通過孔８０７が、ロッドレンズ（ロッドレンズアレイ）を保持するロッドレンズ保持部８０７としてもよい。この場合、図１０に示す一点鎖線がロッドレンズの光軸となる。さらに、ロッドレンズ保持部８０７の下部（反射光通過孔８０７にロッドレンズを保持させていない場合は、ロッドレンズの片方の焦点に受光部（センサ）が形成された基板（センサ基板）を配置して、このセンサ基板を板状部材８で直接又は間接的に保持するようにしてもよい。この場合、板状部材８が画像読取装置の筐体も兼ねることになる。
【００６０】
実施の形態１に係る光源装置（反射板支持構造）の板状部材の詳細構成や変形例ついて図１２〜図１７により説明する。図１３（ａ）は図５の一点鎖線ＧＨによる光源装置の断面に相当する図、図１３（ｂ）は図５の一点鎖線ＩＪによる光源装置の断面に相当する図、図１４（ａ）は図５の一点鎖線ＧＨによる光源装置の断面に相当する図、図１４（ｂ）は図５の一点鎖線ＩＪによる光源装置の断面に相当する図、図１４（ａ）は図５の一点鎖線ＧＨによる光源装置の断面に相当する図、図１４（ｂ）は図５の一点鎖線ＩＪによる光源装置の断面に相当する図である。
【００６１】
図１５（ａ）は図５の一点鎖線ＧＨによる光源装置の断面に相当する図、図１５（ｂ）は図５の一点鎖線ＩＪによる光源装置の断面に相当する図、図１５（ｃ）は図５の一点鎖線ＩＪによる光源装置の断面に相当する図、図１６（ａ）は図５の一点鎖線ＧＨによる光源装置の断面に相当する図、図１６（ｂ）は図５の一点鎖線ＩＪによる光源装置の断面に相当する図である。図１７（ａ）は光源装置（反射板支持構造）の筐体となる板状部材の平面図（折り曲げ前）、図１７（ｂ）は図５の一点鎖線ＧＨによる光源装置（反射板支持構造）の断面に相当する図、図１７（ｃ）は図５の一点鎖線ＩＪによる光源装置（反射板支持構造）の断面に相当する図である。
【００６２】
図１４，図１５，図１６において、８０１ｅは反射板支持部８０１の先端部分が延長され、主走査方向を対する副走査方向に対して屈曲して接続された延長反射板支持部、８０２ｅは導光体ホルダー固定部８０２の先端部分が延長され、主走査方向を対する副走査方向に対して屈曲して接続された延長導光体ホルダー固定部、８０３ｅは延長板状端部８０３（反射板１１側）の先端部分が延長され、主走査方向を対する副走査方向に対して屈曲して接続された延長板状端部（反射板１１側）、８０４ｅは延長板状端部８０４（導光体ホルダー５側）の先端部分が延長され、主走査方向を対する副走査方向に対して屈曲して接続された延長板状端部（導光体ホルダー５側）である。８０１ｂは反射板支持部８０１は、主走査方向を対する副走査方向に対して一箇所屈曲した部分を有する反射板支持部（斜面部）である。反射板支持部８０１ｂ（斜面部８０１ｂ）に対して、反射板支持部８０１（斜面部８０１）は主走査方向を対する副走査方向に対して二箇所屈曲した部分を有するものである。８ｓは板状部材８が折り曲げられる前の平板状の板状部材である。図中、同一符号は、同一又は相当部分を示しそれらについての詳細な説明は省略する。
【００６３】
図１１（ａ）に示すように、反射板支持部８０１は、反射板１１における導光体４の側面４ｂから出射した光を反射する面と反対の面側に配置され、主走査方向に沿って、互いに所定の間隔を空けて配列され、反射板１１を支持する複数の部材である。また、複数の反射鏡支持部８０１は、それぞれ板状部材８の主走査方向に沿った一端を折り曲げて形成されたものである。よって、複数の反射鏡支持部８０１は、反射鏡支持部８０１を支持する板状部材８が折り曲げられたものであるので、板状部材８と一体であり、板状部材８に対して、主走査方向を対する副走査方向に対して角度を有して起立しているものであるといえる。さらに、反射板支持部８０１は、主走査方向を対する副走査方向に対して屈曲した部分を有するものであるともいえる。
【００６４】
実施の形態１に係る光源装置（反射板支持構造）の反射鏡支持部８０１が複数形成されているので、それぞれの反射鏡支持部８０１ごとに配置や傾斜角度を設定するだけで、主走査方向及び副走査方向における反射鏡１１の設置精度を容易に得ることができる。つまり、一枚の板を反射鏡１１の支持部とした場合に生じる主走査方向及び副走査方向における一枚の板の反りや撓みによる反射鏡１１の設置精度の悪化を防ぐことが可能となる。また、複数の反射板支持部８０１は、主走査方向に沿って間欠的に配列され、反射板１１を支持しているので、反射鏡１１の端部のみで反射鏡１１を支持する場合に起こりうる、反射鏡１１の自重での反射鏡１１の撓みも生じにくいものである。なお、複数の反射板支持部８０１は、板状部材８に対して角度を有している基端部分以外に、副走査方向に対して屈曲した部分を有するものである。つまり、板状部材８が二箇所折り曲げられている。
【００６５】
図１１（ａ）（ｂ）に示す板状部材８は、主走査方向に沿った一端のうち、複数の反射鏡支持部８０１以外の部分が、それぞれ板状部材と連続する複数の板状端部８０３を有する。折り曲げられた板状端部８０３によって、実施の形態１に係る光源装置（反射板支持構造）の強度が高まり、反りや撓みが生じにくくなる。また、板状端部８０３の主走査方向の長さを、反射鏡支持部８０１の主走査方向の長さよりも長いものとすることで、画像読取装置のキャリッジ（画像読取装置）との接続インターフェース手段としてのネジ穴（ネジ穴８０５と同じような機能を有するネジ穴）の形成面積を増加するだけではなく、接続インターフェース手段としての板状端部８０３の強度も高まる。もちろん、実施の形態１に係る光源装置（反射板支持構造）の強度もより高まる。なお、板状端部８０３は、主走査方向を対する副走査方向に対して屈曲した部分を有するものであるともいえる。
【００６６】
図１１（ｂ）に示すように、導光体ホルダー固定部８０２は、主走査方向に沿って、互いに所定の間隔を空けて配列され、導光体ホルダー５を固定する複数の部材である。導光体ホルダー固定部８０２は一つでもよい。また、複数の導光体ホルダー固定部８０２は、それぞれ板状部材８の主走査方向に沿った他端を二箇所折り曲げて形成されたものである。よって、複数の導光体ホルダー固定部８０２は、板状部材８が折り曲げられたものであるので、反射鏡支持部８０１同様に、板状部材８と一体であり、板状部材８に対して、主走査方向を対する副走査方向に対して角度を有して起立しているものであるといえる。さらに、導光体ホルダー固定部８０２は、主走査方向を対する副走査方向に対して屈曲した部分を有するものであるともいえる。
【００６７】
図１１（ａ）（ｂ）に示す板状部材８は、主走査方向に沿った他端のうち、複数の導光体ホルダー固定部８０２以外の部分が、それぞれ板状部材と連続する複数の板状端部８０４を有する。折り曲げられた板状端部８０４によって、実施の形態１に係る光源装置（反射板支持構造）の強度が高まり、反りや撓みが生じにくくなる。また、板状端部８０４の主走査方向の長さを、導光体ホルダー固定部８０２の主走査方向の長さよりも長いものとすることで、板状端部８０３と同様に、画像読取装置のキャリッジ（画像読取装置）との接続インターフェース手段としてのネジ穴（ネジ穴８０５と同じような機能を有するネジ穴）の形成面積を増加するだけではなく、接続インターフェース手段としての板状端部８０４の強度も高まる。もちろん、実施の形態１に係る光源装置（反射板支持構造）の強度もより高まる。なお、板状端部８０４は、主走査方向を対する副走査方向に対して屈曲した部分を有するものであるともいえる。
【００６８】
図１２及び図１３に記載の板状部材８ａ（板状部材８）は、実施の形態１に係る光源装置（反射板支持構造）における板状部材８ａ（板状部材８）の変形例である。図１２及び図１３に記載の板状部材８ａ（板状部材８）は、複数の板状端部８０３の複数の反射鏡支持部８０１と連続する基端側から副走査方向に沿った先端側が、それぞれ接続されて一体となっている一体端部８０８が形成されている。一体端部８０８によって、複数の板状端部８０３の強度が高まる。また、一体端部８０８に、画像読取装置のキャリッジ（画像読取装置）との接続インターフェース手段としてのネジ穴（ネジ穴８０５と同じような機能を有するネジ穴）を形成してもよい。
【００６９】
図１４（ａ）（ｂ）に記載の光源装置（反射板支持構造）は、実施の形態１に係る光源装置（反射板支持構造）における反射板支持部８０１の変形例である。図１４（ａ）に記載の反射板支持部８０１は、板状部材８に対して角度を有している基端部分に対する先端部分が延長された延長反射板支持部８０１ｅを有するものである。反射板支持部８０１と延長反射板支持部８０１ｅとの間が屈曲しているので、反射板支持部８０１の強度が高くなる。また、延長反射板支持部８０１ｅは、板状部材８（板状部材８ａ）と反射板１１との寸法差から板状部材８（板状部材８ａ）に生じた余剰分を当てることができる。図１４（ｂ）に記載の板状端部８０３は、板状部材８に対して角度を有している基端部分に対する先端部分が延長された延長板状端部８０３ｅを有するものである。板状端部８０３と延長板状端部８０３ｅとの間が屈曲しているので、板状端部８０３の強度が高くなる。なお、延長反射板支持部８０１ｅや延長板状端部８０３ｅに、画像読取装置のキャリッジ（画像読取装置）との接続インターフェース手段としてのネジ穴（ネジ穴８０５と同じような機能を有するネジ穴）を形成してもよい。
【００７０】
図１５（ａ）（ｂ）（ｃ）に記載の光源装置（反射板支持構造）は、実施の形態１に係る光源装置（反射板支持構造）における反射板支持部８０１，導光体ホルダー固定部８０２，板状端部８０３，板状端部８０４の変形例である。図１５に記載の光源装置（反射板支持構造）は、図１４に記載の光源装置（反射板支持構造）に、延長導光体ホルダー固定部８０２ｅ，延長板状端部８０４ｅが追加された構成となっているので、延長導光体ホルダー固定部８０２ｅと延長板状端部８０４ｅとの説明を行う。延長反射板支持部８０１ｅ及び延長板状端部８０３ｅの説明は前述のとおりである。
【００７１】
図１５（ａ）に記載の板状端部８０４は、板状部材８に対して角度を有している基端部分に対する先端部分が延長された延長板状端部８０４ｅを有するものである。板状端部８０４と延長板状端部８０４ｅとの間が屈曲しているので、板状端部８０４の強度が高くなる。図１５（ｂ）に記載の導光体ホルダー固定部８０２は、板状部材８に対して角度を有している基端部分に対して、さらに屈曲した先端部分が延長された延長導光体ホルダー固定部８０２ｅを有するものである。導光体ホルダー固定部８０２と延長導光体ホルダー固定部８０２ｅとの間が、導光体ホルダー５側と反対に屈曲しているので、導光体ホルダー固定部８０２の強度が高くなる。図１５（ｃ）に記載の導光体ホルダー固定部８０２は、板状部材８に対して角度を有している基端部分に対して、さらに屈曲した先端部分が延長された延長導光体ホルダー固定部８０２ｅを有するものである。導光体ホルダー固定部８０２と延長導光体ホルダー固定部８０２ｅとの間が、導光体ホルダー５側に屈曲しているので、導光体ホルダー固定部８０２の強度が高くなるだけでなく、導光体ホルダー５の固定が、より強固なものとなる。
【００７２】
図１５（ｂ）と図１５（ｃ）との違いは、延長導光体ホルダー固定部８０２ｅの導光体ホルダー固定部８０２に対する屈曲方向の違いである。図１５に記載の延長導光体ホルダー固定部８０２ｅは、板状部材８（板状部材８ａ）と導光体ホルダー５との寸法差から板状部材８（板状部材８ａ）に生じた余剰分を当てることができる。なお、延長反射板支持部８０１ｅ及び延長板状端部８０３ｅと同様に、延長板状端部８０４ｅに、画像読取装置のキャリッジ（画像読取装置）との接続インターフェース手段としてのネジ穴（ネジ穴８０５と同じような機能を有するネジ穴）を形成してもよい。また、反射板支持部８０１部分の断面は、図１５（ｂ）及び図１５（ｃ）ともに図１５（ａ）となる。
【００７３】
図１６（ａ）（ｂ）に記載の光源装置（反射板支持構造）は、実施の形態１に係る光源装置（反射板支持構造）における反射板支持部８０１の変形例である。図１１，図１３，図１４，図１５に記載の反射板支持部８０１は、主走査方向を対する副走査方向に対して二箇所屈曲した部分を有するものである。具体的には、反射板支持部８０１は、互いに異なる方向に屈曲している。なお、図１４及び図１５では、さらに、反射板支持部８０１ｅと反射板支持部８０１との間が屈曲している。一方、図１６（ａ）に記載の反射板支持部８０１ｂは、主走査方向を対する副走査方向に対して一箇所屈曲した部分を有するものである。反射板支持部８０１ｂに、一箇所だけの屈曲が存在するので、板状部材８ａの加工の工程を減ずることができる。また、反射板１１を支持する角度の調整も一度済むことになる。もちろん、図１６（ａ）（ｂ）に記載の光源装置（反射板支持構造）に、図１２〜図１５で示すように、一体端部８０８，延長反射板支持部８０１ｅ，延長導光体ホルダー固定部８０２ｅ，延長板状端部８０３ｅ，延長板状端部８０４ｅの少なくとも一つを付加してもよい。
【００７４】
実施の形態１に係る光源装置は、導光体４，導光体ホルダー５，ホルダー７，基板２，反射板１１の端部偏差が少なく、かつ照明効率のよいものを得ることができる。実施の形態１に係る反射板支持構造は、反射板１１の端部偏差が少ないものを得ることができる。また、これまでは（図１〜図１６）、実施の形態１に係る反射板支持構造は、光源装置に組み込まれている要素として説明していたが、反射板支持構造のみでも実施可能であることを説明する。図１７は実施の形態１に係る反射板支持構造を示すものである。図１７（ａ）は、反射板支持構造の筐体となる板状部材８の折り曲げ前の板状部材８ｓを示している。板状部材８ｓと板状部材８ａとの相違点は、導光体ホルダー５，ホルダー７を支持する機構がないことと、反射光通過孔８０７がないことである。但し、図１７に示す反射板支持構造を、実施の形態１に係る光源装置と同じ用途に使う場合は、反射光通過孔８０７を形成してもよいし、もちろん形成しなくてもよい。これは、換言すると、実施の形態１に係る反射板支持構造は、画像読取装置の結像光学系における反射板（反射鏡，凹面鏡，凸面鏡）を支持する構造に適用することができること意味している。なお、この場合は、ネジ穴８０５は、画像読取装置のキャリッジ以外の部材との接続に用いてもよい。
【００７５】
図１７（ｂ）（ｃ）は、反射板支持構造の断面図を示している。複数の反射板支持部８０１は、反射板１１の反射面と反対の面側に配置され、複数の反射鏡支持部８０１を支持する板状部材８と一体である。また、複数の反射板支持部８０１は、板状部材８に対して、主走査方向を対する副走査方向に対して角度を有して起立し、それぞれ板状部材８の主走査方向に沿った一端を折り曲げて形成されたものである。
【００７６】
図１７（ｂ）（ｃ）に示す反射板支持構造は、図４〜図８，図１０，図１１に示す反射板支持構造（光源装置）の反射板１１側のみであるといえる。よって、図４〜図８，図１０，図１１に示す反射板支持構造（光源装置）と同様に、図１７（ｂ）（ｃ）に示す反射板支持構造は、一体端部８０８，延長反射板支持部８０１ｅ，延長板状端部８０３ｅの少なくとも一つを付加してもよい。また、反射板支持部８０１を反射板支持部８０１ｂに置換してもよい。さらに、置換した上で、一体端部８０８，延長反射板支持部８０１ｅ，延長板状端部８０３ｅの少なくとも一つを付加してもよい。
【００７７】
このような構造のため、実施の形態１に係る光源装置（反射板支持構造）は、画像読取装置の結像光学系内の反射板（第１ミラー、第２ミラー・・など）の支持構造としてのみでも実施可能である。この場合は、図１７の矢印Ｘ，Ｙ，Ｚで示す方向は参考情報となる。また、前述の副光を反射させる反射板の支持構造としてのみでも実施可能である。よって、反射板支持構造を光源装置（画像読取装置に使用する光源装置）の構成として使用する場合は、反射板１１が反射する光の到来元が、反射板１１と対向して配置され、主走査方向に延在する棒状光源又はアレイ光源でもよい。もちろん、棒状光源には、発光部３と、端面４ａから入射された発光部３からの光を長手方向に導光して、側面４ｂから出射する柱状の導光体４とからなるものを含んでいる。さらに、実施の形態１に係る光源装置における棒状光源は、放電灯であってもよい。放電灯は、ネオン管などのグロー放電による放電灯，蛍光灯やキセノンランプ（Ｘｅランプ）などのアーク放電による放電灯などの一般的なものでよい。
【００７８】
実施の形態１に係る光源装置におけるアレイ光源は、発光部３（発光素子１）が主走査方向に複数配列され、副走査方向に光（副光）を放射するものでもよいし、発光部３（発光素子１）が主走査方向に複数配列され、導光部材又は反射部材によって、副走査方向に光（副光）を放射するものでもよい。もちろん、アレイ光源は副光だけではなく、主光も放射するものでもよいし、その両方を放射するものでもよい。さらに、主光と副光と得るために、別の配列で並べたアレイ光源を採用してよい。つまり、主光用に配列されたアレイ光源と副光用に配列されたアレイ光源とが主走査方向に沿って二列並んでいる状態となる（ここでいう二列は、千鳥配列を含む）。
【００７９】
実施の形態１に係る光源装置の導光体ホルダー５及びホルダー７の詳細構成や変形例ついて図１８〜図２１により説明する。具体的には、実施の形態１に係る光源装置を構成する導光体４の温度特性に依らず、導光体４などの端部偏差が少ないことを説明する。なお、実施の形態１に係る光源装置の導光体４及び導光体ホルダー５の厚み方向の膨脹と収縮とを考慮して、導光体４，導光体ホルダー５，ホルダー７を配置していることはいうまでもない。例えば、膨脹が最大のときに、導光体ホルダー５がホルダー７を破損させないように、導光体ホルダー５及びホルダー７の寸法を設定するなどが想定される。しかし、導光体４及び導光体ホルダー５の長手方向の膨脹と収縮とに比べて影響が非常に少ないので、詳細説明は省略する。図１８（ａ）は図５の一点鎖線ＥＦによる光源装置の発光部周辺断面図、図１８（ｂ）は図１８（ａ）のホルダー７部分のみの断面イメージ図、図１９（ａ）は図５の一点鎖線ＥＦによる光源装置の発光部周辺断面図、図１９（ｂ）は図５の一点鎖線ＥＦによる光源装置の発光部周辺断面図、図１９（ｃ）は図５の一点鎖線ＥＦによる光源装置の導光体中央付近断面図、図２０（ａ）は図５の一点鎖線ＥＦによる光源装置の発光部周辺断面に相当する図、図２０（ｂ）は図２０（ａ）のホルダー７部分のみの断面イメージ図、図２１（ａ）は図５の一点鎖線ＥＦによる光源装置の発光部周辺断面に相当する図、図２１（ｂ）は図２１（ａ）のホルダー７部分のみの断面イメージ図である。図中、同一符号は、同一又は相当部分を示しそれらについての詳細な説明は省略する。
【００８０】
図１８及び図１９に示すように、ホルダー７は連通する第１開口（図１８（ｂ）の点線矢印で示す部分）と第２開口（図１８（ｂ）の点線矢印で示す部分）とを有している。ホルダー７は、第１開口側に導光体ホルダー５の端部を前記長手方向で摺動可能に保持している。一方、ホルダー７は、第２開口に発光部３を配置している。さらに、ホルダー７は、第１開口と第２開口との間に光学フィルタ６を発光部３と所定の間隔を維持して支持している。光学フィルタ６は、導光体ホルダー５の端部の摺動によって導光体の端面が移動する範囲外でホルダー７によって支持されている。なお、図１８及び図１９では、発光部３、特に、発光素子１は、ホルダー７の第２開口に配置されているが、この配置に限定する必要はなく、発光素子１（発光部３）から発せられた光が、ホルダー７の第２開口と第１開口とを介して導光体４に入射するように、発光部３を配置すればよい。
【００８１】
なお、導光体ホルダー５は、白色樹脂や反射性の良い金属などで成形され、長手方向に長溝で構成した溝部を有し、この溝部に導光体４が配置されて、長手方向に導光体４を保持する。この溝部の開口側が導光体４から光が出射される出射領域（光出射部４ｂ）となる。導光体ホルダー５は、導光体４を反射板１１と板状部材８に対して適切な位置に導光体４を保持し、側面や光散乱パターン４ｃの裏面からの漏れ光を導光体４内に反射により押し戻し、光出射部４ｂ以外からの意図しない光の出射を抑制する役割を果たす。
【００８２】
次に、図１９を用いて、実施の形態１に係る光源装置は、ホルダー７の第１開口及び第２開口の間に光学フィルタ６を発光部３と所定の間隔を維持して支持するものであること、つまり、導光体４の端面４ａ（光入射部４ａ）と発光部３（光学フィルタ６）とが接触しないものであること説明する。図１９（ａ）は導光体４の長手方向の長さが最も短い場合を示している。図１９（ｂ）は導光体４の長手方向の長さが最も長い場合を示している。図１９（図１８（ｂ）に位置関係を明示している）に示すホルダー７は、その内部に、第１開口側から第２開口側に向かって順に径が小さくなる第１中空部，第２中空部，第３中空部を有し、第２中空部内で光学フィルタ６を支持している。詳しくは、第２中空部と第３中空部との間に生じた段差部分に光学フィルタ６が形成されている。なお、段差部分の厚みは光学フィルタ６の厚み以上とする。図１９（ｃ）は、導光体ホルダー５の第２突起部５ｃと嵌合孔５ｄとを副走査方向（短手方向）の同じ断面に配置されるように設定していること示している。少なくとも、第１中空部の内壁形状は、導光体ホルダー５のホルダー７に挿入された部分がホルダー７と接触して導光体ホルダー５が摺動可能である、若しくは、導光体ホルダー５のホルダー７に挿入された部分がホルダー７と接触せずに、導光体ホルダー５が伸縮可能である必要がある。後者の説明は後述する。
【００８３】
図１９（ｂ）に示すように、導光体４（導光体ホルダー５）の膨脹が最大となった場合に、第１中空部と第２中空部に生じた段差部分に、導光体４の端面４ａ及び導光体ホルダー５の端面が接触するか若しくは接触直前となるように、導光体ホルダー５とホルダー７とを配置することで、導光体４の端面４ａ（光入射部４ａ）と発光部３（光学フィルタ６）とが接触しないようにすることができる。この関係は、第１突起部５ｂと長孔８ｂも同じである。また、図１９（ａ）（ｂ）に示すように、導光体ホルダー５は、第１開口の縁に対向する押し当て面部を有し、この押し当て面部は、導光体ホルダー５の摺動範囲（移動範囲）を制限するようにしてもよい（図１９（ｂ））。なお、導光体４の膨脹が最大となったときに押し当て面部が第１開口の縁に接触直前となるようにしてもよい。この場合、押し当て面部は押し当て面部ではなく対向面部となる。
【００８４】
ホルダー７は、基板２と導光体ホルダー５と光学フィルタ６を保持し、発光部３からの意図しない光を抑制するものであるともいえる。実施の形態１に係る光源装置では、ホルダー７の一方の端面にある第１開口へ導光体ホルダー５の一方の端面を含む端部が挿入され、ホルダー７の逆側の端面にある第２開口に発光部３を固定した基板２を発光部３と導光体４が対向するように配置されている。また、前述のとおり、ホルダー７は、第１開口に挿入された導光体ホルダー５の端部の端面４ａと光学フィルタ６との距離は、導光体４（導光体ホルダー５）の膨脹又は収縮により変動するが、光学フィルタ６を保持する面と、逆側の面（第２開口）に基板２を固定する面とを持ち、光学フィルタ６と基板２との距離を一定に保ち、導光体４（導光体ホルダー５）の伸縮（膨脹又は収縮）の影響を受けないものとなっている。よって、光学フィルタ６の調光特性が安定する。
【００８５】
つまり、実施の形態１に係る光源装置は、導光体４とホルダー７の嵌合深さ（挿入深さ）及び導光体ホルダー５とホルダー７の相対位置は変動するが、板状部材８の長孔８ｂには、長手方向に対して導光体ホルダー５の温度特性伸縮分のギャップ（間隙）を設けておくことで、導光体ホルダー５は長手方向に対して伸縮可能である。よって、導光体４と導光体ホルダー５を高さ方向と短手方向は変動させない、すなわち照明特性は変えない構成となる。また、ホルダー７はネジ１０によって板状部材８上の締結部８０６に長手方向に固定されているため、放熱効果も変わらない。さらに、常温時においても高温時においても、板状部材８，伝熱体９，基板２，発光素子１，ホルダー，光学フィルタ６の距離は一定であり、導光体４と導光体ホルダー５の距離は一定である（膨脹率が近い場合）。
【００８６】
すなわち、実施の形態１に係る光源装置は、導光体ホルダー５によって遮光される部分は一定であり、導光体４の端部に発生する不要な迷光の抑制効果は一定に保たれる。一方、発光部３及び光学フィルタ６の相対距離も一定に保たれていることにより、発光部３からの光の変換機能は一定に保たれる。この構造によって、温度変化による導光体４の伸縮による照明特性や放熱特性の変化は生じない。
【００８７】
また、実施の形態１に係る光源装置は、図示は省略するが、導光体ホルダー５の端部とホルダー７とを接触させずに、ホルダー７が、第１開口の内部で若しくは第１開口の上で導光体ホルダー５の端部が長手方向に伸縮し、ホルダー７が、導光体ホルダー５の端部の伸縮によって導光体４の端面４ａが移動する範囲外で、光学フィルタ６を支持するようにしてもよい。換言すると、実施の形態１に係る光源装置は、ホルダー７が、第１中空部内で導光体ホルダー５の端部を摺動可能に保持する、又は、導光体ホルダー５の端部が、第１中空部内で長手方向に伸縮するといえる。次の図２０及び図２１に示す光源装置も同様である。
【００８８】
図２０及び図２１に示す光源装置は、ホルダー７が、その内部に、第１開口側から第２開口側に向かって順に径が大きくなる第１中空部，第２中空部を有し、この第２中空部内で光学フィルタ６を支持している。詳しくは、図２０では第１中空部と第２中空部との間に生じた段差部分、若しくは、第２中空部と第３中空部との間に生じた段差部分に光学フィルタ６が形成されている。図２１では第１中空部と第２中空部との間に生じた段差部分に光学フィルタ６が形成されている。
【００８９】
図２０及び図２１に示す光源装置は、図１８及び図１９に示す光源装置のように、導光体４（導光体ホルダー５）の膨脹が最大となった場合に、第１中空部と第２中空部に生じた段差部分に、導光体４の端面４ａ及び導光体ホルダー５の端面が接触するか若しくは接触直前となるように、導光体ホルダー５とホルダー７とを配置することはできないが、最大の膨張時に、導光体４の端面４ａ及び導光体ホルダー５の端面を第２中空部に進入しないように、導光体ホルダー５とホルダー７とを配置すればよい（図２０）。なお、図２１の場合は、導光体４の端面４ａ及び導光体ホルダー５の端面を第２中空部に進入してもよいが、光学フィルタ６と接触しないようにする必要がある。
【００９０】
図１〜図２１を用いて説明した実施の形態１に係る光源装置及び実施の形態１に係る反射板支持構造は、各構成を適宜入れ替えて実施することは可能である。この入れ替えは、後述の実施の形態２に係る光源装置（反射板支持構造）及び実施の形態３に係る光源装置（反射板支持構造）と実施の形態１に係る光源装置及び実施の形態１に係る反射板支持構造との間でも成立する。もちろん、後述の実施の形態２に係る光源装置（反射板支持構造）と後述の実施の形態３に係る光源装置（反射板支持構造）との間でも成立する。
【００９１】
実施の形態１では、ホルダー７が、第１中空部内で導光体ホルダー５の端部を摺動可能に保持しているものの図を用いて説明したが、導光体ホルダー５は板状部材８に載置されており、ホルダー７によらずに自立しているので、ホルダー７と導光体ホルダー５とを接触させずに、導光体ホルダー５の端部を、ホルダー７の第１中空部内で若しくはホルダー７の第１中空部上で長手方向に伸縮するようにしてもよい。
【００９２】
ここで、実施の形態１に係る光源装置の板状部材８に関して特化した説明を行う。板状部材８（筐体）は、矩形形状を有する底部（底面）の短手方向の中央部に形成された二つの長孔８ｂと、二つの長孔８ｂの間に形成された嵌合孔８ｃと、底面に長手方向に沿って形成された反射光通過孔８０７（アパーチャ）と、ネジ穴８０５と導光体ホルダー固定部８０２と反射板支持部８０１と、締結部８０６と、締結部８０６とを備え、導光体ホルダー５及び反射板１１を長手方向かつ短手方向かつ高さ方向に固定し、ホルダー７及び伝熱体９を長手方向かつ短手方向かつ高さ方向に固定する。
【００９３】
長孔８ｂは板状部材８底面にあり、長手方向の片側端部かつ短手方向で反射光通過孔８０７と締結部８０６の間かつ導光体ホルダー５底面の短手方向中央に位置する長手方向に長い長孔であり、導光体ホルダー５の第１突起部５ｂが挿入されることにより、導光体ホルダー５を短手方向の位置を固定するものである。嵌合孔８ｃは板状部材８底面にあり、長手方向の長孔８ｂがある側と逆側端部かつ短手方向で反射光通過孔８０７と締結部８０６の間かつ導光体ホルダー５底面の短手方向中央位置に位置するものであり、導光体ホルダー５の第２突起部５ｃが挿入されることにより、導光体ホルダー５を短手方向と長手方向の位置を固定するものである（図８）。
【００９４】
反射光通過孔８０７は板状部材８底面の長手方向に沿って形成された穴であり、読取対象の画像情報（照射した光の読取対象における散乱反射光）を撮像体（レンズなどの結像光学系及びイメージセンサなどの受光部）に伝え（図１０）、それ以外の不要な光を抑制する働きを持つ。導光体ホルダー固定部８０２は板状部材８側側面に伸び、反射光通過孔８０７に対して反射板１１の逆側に位置し、導光体ホルダー５を高さ方向に固定する働きを持つ。反射板支持部８０１は長手方向に複数設けられ、短手方向に反射光通過孔８０７の外側に位置し、反射板１１を精度良く保持する働きを持つ。締結部８０６は反射光通過孔８０７に対して筐体の長手方向の外側に位置し、ネジ１０により、基板２及びホルダー７及び伝熱体９を板状部材８に固定するものである。
【００９５】
板状部材８における反射板支持部８０１，導光体ホルダー固定部８０２，板状端部８０３，板状端部８０４，締結部８０６，一体端部８０８は、放熱板として機能も果たしている。特に、板状端部８０３，板状端部８０４，締結部８０６，一体端部８０８は、板状部材８の短辺側壁部（締結部８０６）の側壁部分で連続していてもよい。また、短辺側壁部（締結部８０６）を延長して長手方向に折り曲げ、長辺側壁部（板状端部８０３）に対し斜面部８０１と反対の方向に対向して長手方向に延在してもよい。また、長辺側壁部に連続し、端辺方向に折り曲げされ、板状部材８の底面と対向する方向に延在して（折り曲げて）もよい。
【００９６】
実施の形態２．
この発明の実施の形態２について図２２〜図４０を用いて説明する。実施の形態２は、導光体４の端部が屈曲したものを説明する。特に、導光体４の端部が板状部材８（板状部材８ａ）側に屈曲し、発光部３が、板状部材８（板状部材８ａ）上に、直接又は伝熱体９を介して締結されるものと、発光部３が、板状部材８（板状部材８ａ）に形成された孔（後述の発光部用孔８０９や発光部用切り欠き）を介して取り付けられたものとを説明する。実施の形態２では、実施の形態１と異なる部分を中心に説明を行う。実施の形態２に係る光源装置の導光体４及び導光体ホルダー５の厚み方向の膨脹と収縮とを考慮して、導光体４，導光体ホルダー５，ホルダー７を配置していることはいうまでもない。例えば、膨脹が最大のときに、導光体ホルダー５（導光体４）がホルダー７を破損させないように、導光体ホルダー５（導光体４）及びホルダー７の寸法を設定するなどが想定される。しかし、導光体４及び導光体ホルダー５の長手方向の膨脹と収縮とに比べて影響が非常に少ないので、詳細説明は省略する。
【００９７】
図２３（ａ）（ｂ）は図５の一点鎖線ＥＦによる光源装置の発光部周辺断面に相当する図、図２３（ｃ）は図５の一点鎖線ＥＦによる光源装置の導光体中央付近断面に相当する図、図２５（ａ）（ｂ）は図５の一点鎖線ＥＦによる光源装置の発光部周辺断面に相当する図、図２５（ｃ）は図５の一点鎖線ＥＦによる光源装置の導光体中央付近断面に相当する図、図２７（ａ）（ｂ）は図５の一点鎖線ＥＦによる光源装置の発光部周辺断面に相当する図、図２９（ａ）（ｂ）は図５の一点鎖線ＥＦによる光源装置の発光部周辺断面に相当する図である。
【００９８】
図３０（ａ）〜図３０（ｄ）は図５の一点鎖線ＥＦによる光源装置の発光部周辺断面に相当するホルダー７部分のみの断面イメージ図、図３１（ａ）〜図３１（ｄ）は図５の一点鎖線ＥＦによる光源装置の発光部周辺断面に相当するホルダー７部分のみの断面イメージ図である。図３２（ａ）（ｂ）は図５の一点鎖線ＥＦによる光源装置の発光部周辺断面に相当する図、図３２（ｃ）は図５の一点鎖線ＥＦによる光源装置の導光体中央付近断面に相当する図、図３３（ａ）（ｂ）は図５の一点鎖線ＥＦによる光源装置の発光部周辺断面に相当する図、図３３（ｃ）は図５の一点鎖線ＥＦによる光源装置の導光体中央付近断面に相当する図である。図２３，図２５，図２７，図２９，図３２，図３３は、ホルダー７の第１開口上に導光体ホルダー５が配置された形状のバリエーションを示すものである。
【００９９】
図３４（ａ）（ｂ）は図５の一点鎖線ＥＦによる光源装置の発光部周辺断面に相当する図、図３４（ｃ）は図５の一点鎖線ＥＦによる光源装置の導光体中央付近断面に相当する図、図３５（ａ）（ｂ）は図５の一点鎖線ＥＦによる光源装置の発光部周辺断面に相当する図、図３５（ｃ）は図５の一点鎖線ＥＦによる光源装置の導光体中央付近断面に相当する図、図３６（ａ）（ｂ）は図５の一点鎖線ＥＦによる光源装置の発光部周辺断面に相当する図、図３６（ｃ）は図５の一点鎖線ＥＦによる光源装置の導光体中央付近断面に相当する図、図３７（ａ）（ｂ）は図５の一点鎖線ＥＦによる光源装置の発光部周辺断面に相当する図、図３７（ｃ）は図５の一点鎖線ＥＦによる光源装置の導光体中央付近断面に相当する図である。図３４〜図３７は、ホルダー７の第１開口に導光体ホルダー５が挿入された形状のバリエーションを示すものである。
【０１００】
図３８（ａ）（ｂ）は図５の一点鎖線ＥＦによる光源装置の発光部周辺断面に相当する図、図３９（ａ）（ｂ）は図５の一点鎖線ＥＦによる光源装置の発光部周辺断面に相当する図、図４０（ａ）（ｂ）は図５の一点鎖線ＥＦによる光源装置の発光部周辺断面に相当する図である。図３８，図３９，図４０は、導光体４の端面４ａの形状のバリエーションを示すものである。
【０１０１】
図２２〜図４０において、８０６ｇは直接又は伝熱体９を介して発光部３（基板２）が締結される板状部材８（板状部材８ａ）上の領域である締結部、８０９は、板状部材８（板状部材８ａ）に形成された発光部用孔である。発光部３（基板２）は、発光部用孔８０９を介して板状部材８に取り付けられる。なお、発光部用孔８０９は、発光部用孔８０９の周囲が板状部材８に囲まれた完全な孔である必要はなく、板状部材８の外形から内側に切り欠かれた発光部用切り欠き８０９でもよい。本願では、発光部用孔８０９は発光部用切り欠き８０９を含むものとして説明を行う。発光部用切り欠き８０９の図示は省略する。図中、同一符号は、同一又は相当部分を示しそれらについての詳細な説明は省略する。
【０１０２】
図２２は、実施の形態２に係る光源装置の筐体となる板状部材８ａを示している。図２２には、板状部材８ａの折り曲げ後の板状部材８に、仮想的に、導光体４，導光体ホルダー５，ホルダー７を載置した場合のイメージを示している。図２３に示すように、実施の形態２に係る光源装置は、導光体４の端部が板状部材８（板状部材８ｇ）側に屈曲しており、板状部材８ｇ（板状部材８）上に形成（締結）された発光部３（発光素子１）から出た光が、板状部材８（板状部材８ｇ）側に端部が屈曲した導光体４の端面４ａ（光入射部４ａ）から入射される。この後の基本動作は、実施の形態１に係る光源装置と同様である。
【０１０３】
次に、図２３を用いて、実施の形態２に係る光源装置は、ホルダー７の第１開口及び第２開口の間に光学フィルタ６を発光部３と所定の間隔を維持して支持するものであること、さらに、導光体４の端面４ａ（光入射部４ａ）と発光部３（光学フィルタ６）とが接触しないものであること説明する。図２３（ａ）は導光体４の長手方向の長さが最も短い場合を示している。図２３（ｂ）は導光体４の長手方向の長さが最も長い場合を示している。図２３に示すホルダー７は、その内部に、第１開口側から第２開口側に向かって順に径が小さくなる第１中空部，第２中空部を有し、第１中空部内で光学フィルタ６を支持している。詳しくは、第１中空部と第２中空部との間に生じた段差部分に光学フィルタ６が形成されている。なお、段差部分の厚みは光学フィルタ６の厚み以上とする。図２３（ｃ）は、導光体ホルダー５の第２突起部５ｃと嵌合孔５ｄとを副走査方向（短手方向）の同じ断面に配置されるように設定していること示している。
【０１０４】
図２３（ｂ）に示すように、導光体４（導光体ホルダー５）の膨脹が最大となった場合に、第１開口に、導光体４の端面４ａ及び導光体ホルダー５の端面が接触するか若しくは接触直前となるように、導光体ホルダー５とホルダー７とを配置することで、導光体４の端面４ａ（光入射部４ａ）と発光部３（光学フィルタ６）とが接触しないようにすることができる。また、図２３（ａ）（ｂ）に示すように、導光体ホルダー５は、第１開口の縁とホルダー７に対向する押し当て面部をそれぞれ有し、これらの押し当て面部は、導光体ホルダー５の摺動範囲（移動範囲）を制限するようにしてもよい（図２３（ｂ））。なお、導光体４の膨脹が最大となったときに押し当て面部が第１開口の縁に接触直前となるようにしてもよい。この場合、押し当て面部は押し当て面部ではなく対向面部となる。
【０１０５】
図２４は、実施の形態２に係る光源装置の筐体となる板状部材８ａを示している。図２４の板状部材８ａには、発光部用孔８０９（発光部用切り欠き８０９）が形成されている。図２５に示すように、実施の形態２に係る光源装置は、導光体４の端部が板状部材８（発光部用孔８０９）側に屈曲しており、発光部用孔８０９（板状部材８）を介して発光部３（発光素子１）から出た光が、板状部材８（発光部用孔８０９）側に端部が屈曲した導光体４の端面４ａ（光入射部４ａ）から入射される。この後の基本動作は、実施の形態１に係る光源装置と同様である。導光体４の屈曲の主要部分は、実施の形態２ではＸＺ平面上に存在している。実施の形態２に係る光源装置の導光体４においても、光散乱パターン４ｃは少なくとも画像読取装置の主走査方向の有効読取領域に対応する部分に少なくとも形成されておればよい。また、導光体４の屈曲部分から、他の部分よりも多め又は少なめに光を出射させるようにすることで、有効読取領域の端部（ホルダー７の近傍）における輝度などの調整を行ってもよい。
【０１０６】
図２４及び図２５における実施の形態２に係る光源装置は、ホルダー７の第１開口及び第２開口の間に光学フィルタ６を発光部３と所定の間隔を維持して支持するものである。さらに、導光体４の端面４ａ（光入射部４ａ）と発光部３（光学フィルタ６）とが接触しないものである。この説明に関しては、図２３を用いて説明したものと基本的には同じであるので、詳細説明は省略する。図２５（ａ）（ｂ）（ｃ）は、それぞれ図２３（ａ）（ｂ）（ｃ）に相当する。相違点は、図２３では、発光部３が板状部材８ｇ上に形成されていたが、図２５では、発光部３（発光素子１）が、発光部用孔８０９に挿入されたものとなっている。図２５と図２３との対比を容易にするために、伝熱体９が筐体である板状部材８（発光部用孔８０９）と接触していないように図示しているが、実際は、伝熱体９と板状部材８とを直接又は間接的に接触させて熱を伝導させてもよいし、伝熱体９を設けなくてもよい。
【０１０７】
図２６は、実施の形態２に係る光源装置の筐体となる板状部材８ａを示している。図２６には、板状部材８ａの折り曲げ後の板状部材８に、仮想的に、導光体４，導光体ホルダー５，ホルダー７を載置した場合のイメージを示している。図２７に示すように、実施の形態２に係る光源装置は、導光体４の端部が板状部材８（板状部材８ｇ又は発光部用孔８０９）側に屈曲している。図２６及び図２７は、それぞれ図２２及び図２３，図２４及び図２５に対応するものであり、ホルダー７と反対側における導光体４の屈曲部分にも導光体ホルダー５で覆われている場合を示している。図２７（ａ）は板状部材８が板状部材８ｇの領域を有する場合（図２２及び図２３に相当）である。図２７（ｂ）は板状部材８が発光部用孔８０９を有する場合（図２２及び図２３に相当）である。
【０１０８】
図２８は、実施の形態２に係る光源装置の筐体となる板状部材８ａを示している。図２８には、板状部材８ａの折り曲げ後の板状部材８に、仮想的に、導光体４，導光体ホルダー５，ホルダー７を載置した場合のイメージを示している。図２９に示すように、実施の形態２に係る光源装置は、導光体４の端部が板状部材８（板状部材８ｇ又は発光部用孔８０９）側に屈曲している。図２８及び図２９は、図２６及び図２７に対応するものであり、ホルダー７と反対側における導光体４の屈曲部分にも導光体ホルダー５で覆われ、さらに、その部分の導光体ホルダー５がホルダー７に覆われ、接近、又は、摺動可能に接触している場合を示している。換言すると、ホルダー７の第１中空部に導光体ホルダー５（導光体４）の端部が挿入され、導光体ホルダー５（導光体４）がホルダー７へ摺動可能（伸縮）に接触している場合を示しているといえる。図２９（ａ）は板状部材８が板状部材８ｇの領域を有する場合（図２７（ａ）に相当）である。図２９（ｂ）は板状部材８が発光部用孔８０９を有する場合（図２７（ｂ）に相当）である。
【０１０９】
図３０及び図３１を用いて、図２２〜図２９に記載のホルダー７の説明とその変形例の説明を行う。図３０（ａ）（ｂ）は、図２２〜図２９に記載のホルダー７を示している。図３０（ａ）に示すホルダー７は、その内部に、第１開口側から第２開口側に向かって順に径が小さくなる第１中空部，第２中空部，第３中空部を有し、第２中空部内で光学フィルタ６を支持している。詳しくは、第２中空部と第３中空部との間に生じた段差部分に光学フィルタ６が形成されている。なお、第１中空部及び第２中空部は、それぞれの径の中心軸が交差する位置に配置されている。段差部分の厚みは光学フィルタ６の厚み以上とする。
【０１１０】
図３０（ｂ）に示すホルダー７は、その内部に、第１開口側から第２開口側に向かって順に径が小さくなる第１中空部，第２中空部を有し、第１中空部内で光学フィルタ６を支持している。詳しくは、第１中空部と第２中空部との間に生じた段差部分に光学フィルタ６が形成されている。なお、段差部分の厚みは光学フィルタ６の厚み以上とする。
【０１１１】
図３０（ｃ）（ｄ）に示すホルダー７は、それぞれ、図３０（ａ）（ｂ）に示すホルダー７の変形例である。図３０（ｃ）に示すホルダー７は、その内部に、第１開口側から第２開口側に向かって順に径が小さくなる第１中空部，第２中空部，第３中空部，第４中空部を有し、第２中空部又は第３中空部内で光学フィルタ６を支持している。詳しくは、第２中空部と第３中空部との間に生じた段差部分又は第３中空部と第４中空部との間に生じた段差部分に光学フィルタ６が形成されている。なお、第１中空部及び第２中空部は、それぞれの径の中心軸が交差する位置に配置されている。段差部分の厚みは光学フィルタ６の厚み以上とする。
【０１１２】
図３０（ｄ）に示すホルダー７は、その内部に、第１開口側から第２開口側に向かって順に径が小さくなる第１中空部，第２中空部，第３中空部を有し、第１中空部又は第２中空部内で光学フィルタ６を支持している。詳しくは、第１中空部と第２中空部との間に生じた段差部分又は第２中空部と第３中空部との間に生じた段差部分に光学フィルタ６が形成されている。なお、少なくとも、第１中空部と第２中空部との間に生じた段差部分の厚みは光学フィルタ６の厚み以上とする。なお、図３０（ａ）（ｃ）に示す第１中空部の内壁形状は、導光体ホルダー５のホルダー７に挿入された部分がホルダー７と接触して導光体ホルダー５が摺動可能である、若しくは、導光体ホルダー５のホルダー７に挿入された部分がホルダー７と接触せずに、導光体ホルダー５が伸縮可能である形状である必要がある。
【０１１３】
図３１（ａ）（ｂ），図３１（ｃ）（ｄ）に示すホルダー７は、それぞれ、図３０（ａ）（ｂ）に示すホルダー７の変形例である。図３１（ａ）に示すホルダー７は、その内部に、第１開口側から第２開口側に向かって順に径が大きくなる第１中空部，第２中空部，第３中空部を有し、この第３中空部内で光学フィルタ６を支持している。詳しくは、図３１（ａ）では第２中空部と第３中空部との間に生じた段差部分に光学フィルタ６が形成されている。なお、第１中空部及び第２中空部は、それぞれの径の中心軸が交差する位置に配置されている。なお、図３１（ａ）（ｃ）に示す第１中空部の内壁形状は、導光体ホルダー５のホルダー７に挿入された部分がホルダー７と接触して導光体ホルダー５が摺動可能である、若しくは、導光体ホルダー５のホルダー７に挿入された部分がホルダー７と接触せずに、導光体ホルダー５が伸縮可能である形状である必要がある。
【０１１４】
図３１（ｂ）に示すホルダー７は、その内部に、第１開口側から第２開口側に向かって順に径が大きくなる第１中空部，第２中空部を有し、この第２中空部内で光学フィルタ６を支持している。詳しくは、図３１（ａ）では第１中空部と第２中空部との間に生じた段差部分に光学フィルタ６が形成されている。
【０１１５】
図３１（ｃ）に示すホルダー７は、その内部に、第１開口側から第２開口側に向かって順に径が大きくなる第１中空部，第２中空部，第３中空部を有し、第３中空部よりも径が小さい第４中空部が第３中空部と連通している。第３中空部内で光学フィルタ６を支持している。詳しくは、図３１（ｃ）では第２中空部と第３中空部との間に生じた段差部分又は第３中空部と第４中空部との間に生じた段差部分に光学フィルタ６が形成されている。なお、第１中空部及び第２中空部は、それぞれの径の中心軸が交差する位置に配置されている。
【０１１６】
図３１（ｄ）に示すホルダー７は、その内部に、第１開口側から第２開口側に向かって順に径が大きくなる第１中空部，第２中空部を有し、第２中空部よりも径が小さい第３中空部が第２中空部と連通している。第２中空部内で光学フィルタ６を支持している。詳しくは、図３１（ｄ）では第１中空部と第２中空部との間に生じた段差部分又は第２中空部と第３中空部との間に生じた段差部分に光学フィルタ６が形成されている。なお、図３０（ａ）（ｃ）及び図３１（ａ）（ｃ）に示す第１中空部以外の中空部（第１中空部，第２中空部，第３中空部，第４中空部）の内壁形状は、筒状の形状であれば発光部２からの光を遮らない限り、特に制限はない。
【０１１７】
図３２及び図３３を用いて、ホルダー７と反対側における導光体４の屈曲部分から導光体４の端面４ａ（光入射部４ａ）まで露出させた場合を説明する。図３２（ａ）（ｂ）（ｃ）は、それぞれ、図２３（ａ）（ｂ）（ｃ）に対応し、図３３（ａ）（ｂ）（ｃ）は、それぞれ、図２５（ａ）（ｂ）（ｃ）に対応するので、共通部分の詳細説明は省略する。図３２及び図３３に記載の光源装置は、ホルダー７と反対側における導光体４の屈曲部分から導光体４の端面４ａ（光入射部４ａ）まで露出しているので、図３２（ｂ）及び図３３（ｂ）に示すように、導光体４の膨脹が最大のときに、導光体４の側面がホルダー７と接近又は接触することになるので、導光体４のこの部分を、対向面部又は押し当て面部としてもよい。
【０１１８】
図３４及び図３５を用いて、ホルダー７側における導光体４の屈曲部分から導光体４の端面４ａ（光入射部４ａ）までも導光体ホルダー５で覆い、第１中空部に挿入した場合を説明する。図３４（ａ）（ｂ）（ｃ）は、それぞれ、図２３（ａ）（ｂ）（ｃ）に対応し、図３５（ａ）（ｂ）（ｃ）は、それぞれ、図２５（ａ）（ｂ）（ｃ）に対応するので、共通部分の詳細説明は省略する。図３４及び図３５に記載の光源装置は、導光体４の屈曲部分のホルダー７側に沿って、図２３及び図２５に記載のものよりも薄い導光体ホルダー５が導光体４を覆っているので、ホルダー７に実施の形態１に係るものと同じ形状のものを使用することができる。
【０１１９】
図３６及び図３７を用いて、ホルダー７と反対側における導光体４の屈曲部分から導光体４の端面４ａ（光入射部４ａ）まで露出させ、ホルダー７側における導光体４の屈曲部分から導光体４の端面４ａ（光入射部４ａ）までも導光体ホルダー５で覆い、第１中空部に挿入した場合を説明する。図３６（ａ）（ｂ）（ｃ）は、それぞれ、図２３（ａ）（ｂ）（ｃ）に対応し、図３７（ａ）（ｂ）（ｃ）は、それぞれ、図２５（ａ）（ｂ）（ｃ）に対応するので、共通部分の詳細説明は省略する。また、図３６に記載の光源装置は、図３２に記載の光源装置と図３４に記載の光源装置と組み合わせたものであり、図３７に記載の光源装置は、図３３に記載の光源装置と図３５に記載の光源装置と組み合わせたものである。
【０１２０】
よって、図３６及び図３７に記載の光源装置は、導光体４の膨脹が最大のときに、導光体４の側面がホルダー７と接近又は接触することになるので、導光体４のこの部分を、対向面部又は押し当て面部としてもよい。また、導光体４の屈曲部分のホルダー７側に沿って、図２３及び図２５に記載のものよりも薄い導光体ホルダー５が導光体４を覆っているので、ホルダー７に実施の形態１に係るものと同じ形状のものを使用することができる。
【０１２１】
図３８，図３９，図４０を用いて、実施の形態２に係る光源装置の導光体４の形状のバリエーションを説明する。図３８（ａ）（ｂ），図３９（ａ）（ｂ），図４０（ａ）（ｂ）にいける導光体４の形状以外は、それぞれ図２９（ａ）（ｂ）に記載のものと共通の構造を用いて説明する。共通部分の詳細説明は省略する。
【０１２２】
図３８（ａ）（ｂ）に記載の導光体４は、端面４ａ（光入射部４ａ）面が延在する位置が導光体４の長手方向に延びる部分の底面の位置とほぼ同じ高さに設定されたものである。このような導光体４を実施の形態２に係る光源装置に用いることで、厚み方向（高さ方向）において導光体４や導光体ホルダー５の低背化を図ることができる。また、導光体ホルダー５及びホルダー７の形状も簡略化することができる。
【０１２３】
図３９（ａ）（ｂ）に記載の導光体４は、端面４ａ（光入射部４ａ）面が延在する位置が導光体４の長手方向に延びる部分の底面の位置よりも高い位置に設定されたものである。このような導光体４を実施の形態２に係る光源装置に用いることで、図３８（ａ）（ｂ）に記載の導光体４よりも、厚み方向（高さ方向）において、より導光体４や導光体ホルダー５の低背化を図ることができる。また、導光体ホルダー５及びホルダー７の形状も、さらに簡略化することができる。
【０１２４】
図３９（ａ）（ｂ）に記載の導光体４は、端面４ａ（光入射部４ａ）面の一部が突起しており、その突起が導光体ホルダー５と接触している。よって、厚み方向（高さ方向）において導光体４や導光体ホルダー５の低背化を図りつつ、導光体４と導光体ホルダー５との嵌合がより強固なものにすることができる。
【０１２５】
図２２〜図４０を用いて説明した実施の形態２に係る光源装置は、各構成を適宜入れ替えて実施することは可能である。この入れ替えは、後述の実施の形態３に係る光源装置（反射板支持構造）及び前述の実施の形態１に係る光源装置（反射板支持構造）との間でも成立する。
【０１２６】
実施の形態３．
この発明の実施の形態３について図４１〜図４７を用いて説明する。実施の形態３は、導光体４の端部が屈曲したものを説明する。特に、導光体４の端部が板状部材８（板状部材８ａ）側に屈曲し、発光部３が、板状部材８（板状部材８ａ）の長手方向に交差する方向に折れ曲がった部分（後述の締結部８０６ｓ）に、直接又は伝熱体９を介して締結されるものと、発光部３が、板状部材８（板状部材８ａ）の長手方向に交差する方向に折れ曲がった部分に、形成された発光部用孔又は発光部用切り欠きを介して取り付けられたものとを説明する。実施の形態３では、実施の形態１及び２と異なる部分を中心に説明を行う。また、実施の形態３に係る光源装置の導光体４及び導光体ホルダー５の厚み方向の膨脹と収縮とを考慮して、導光体４，導光体ホルダー５，ホルダー７を配置していることはいうまでもない。例えば、膨脹が最大のときに、導光体ホルダー５（導光体４）がホルダー７を破損させないように、導光体ホルダー５（導光体４）及びホルダー７の寸法を設定するなどが想定される。しかし、導光体４及び導光体ホルダー５の長手方向の膨脹と収縮とに比べて影響が非常に少ないので、詳細説明は省略する。
【０１２７】
図４１及び図４７は、実施の形態３に係る光源装置の筐体となる板状部材８ａを示している。図４１及び図４７には、板状部材８ａの折り曲げ後の板状部材８に、仮想的に、導光体４，導光体ホルダー５，ホルダー７を載置した場合のイメージを示している。なお、図４１及び図４７では、ホルダー７内を透視した状態を図示しており、導光体４の一部，光学フィルタ６，発光素子１が点線で示している。図４２（ａ）は図４１に記載の板状部材８ａが延在している面と平行な面で見た断面図、図４２（ｂ）は図４２（ａ）から導光体４と導光体ホルダー５を排除した仮想断面図、図４３は図４１に記載の点線矢印Ａから見た光源装置の側面図、図４４（ａ）は図４１に記載の板状部材８ａが延在している面と垂直な面で見た断面図、図４４（ｂ）は図４４（ａ）から導光体４と導光体ホルダー５を排除した仮想断面図である。図４５（ａ）は図４１に記載の板状部材８ａが延在している面と平行な面で見た断面図、図４５（ｂ）は図４５（ａ）から導光体４と導光体ホルダー５を排除した仮想断面図、図４６は図４１に記載の点線矢印Ａから見た光源装置の側面図である。
【０１２８】
図４０〜図４７において、８０６ｓは、板状端部８０４（導光体ホルダー５側）における領域で、ネジ１０を通すネジ穴を有し、板状部材８に形成され、導光体ホルダー５，発光部３，伝熱体９がネジ１０によって締結される締結部、８０９ｓは、板状端部８０４（板状部材８ａ）に形成された発光部用孔である。発光部３（基板２）は、発光部用孔８０９ｓを介して板状部材８（板状端部８０４）に取り付けられる。図中、同一符号は、同一又は相当部分を示しそれらについての詳細な説明は省略する。
【０１２９】
なお、発光部用孔８０９ｓは、発光部用孔８０９ｓの周囲が板状端部８０４（板状部材８）に囲まれた完全な孔である必要なく、板状端部８０４（板状部材８）の外形から内側に切り欠かれた発光部用切り欠き８０９ｓでもよい。本願では、発光部用切り欠き８０９ｓは発光部用孔８０９ｓを含むものとして説明を行う。発光部用孔８０９ｓの図示は省略する。なお、発光部用切り欠き８０９ｓ（発光部用孔８０９ｓ）は、「板状部材８が主走査方向（長手方向）に沿った一端のうち、導光体ホルダー固定部８０２以外の部分が、それぞれ板状部材８と連続する複数の板状端部８０４」のうち、導光体ホルダー固定部８０２を挟み込む位置の二つの板状端部８０４にそれぞれ形成されている。図中、同一符号は、同一又は相当部分を示しそれらについての詳細な説明は省略する。
【０１３０】
図４２及び図４３と図４５及び図４６との違いは、特に、図４２（ｂ）と図４５（ｂ）とから明らかなとおり、図４２及び図４３に記載の光源装置は、導光体ホルダー５と板状部材８との間に、ホルダー７がなく、図４５及び図４６に記載の光源装置は、導光体ホルダー５と板状部材８との間に、ホルダー７が存在することである。詳しくは、図４２及び図４３に示すホルダー７は、第１中空部（光学フィルタ６が形成）上では、実施の形態３に係る光源装置の厚み方向にて、ホルダー７（第１中空部の縁から延びた壁面），導光体ホルダー５，板状部材８の順で配列されている。一方、図４５及び図４６に示すホルダー７は、第１中空部（光学フィルタ６が形成）上では、実施の形態３に係る光源装置の厚み方向にて、ホルダー７（第１中空部の縁から延びた壁面），導光体ホルダー５，ホルダー７（第１中空部の縁から延びた壁面），板状部材８の順で配列されている。つまり、図４５及び図４６に示すホルダー７は、実施の形態２における図３０（ｂ）に示すホルダー７にするものである。但し、ホルダー７の配置は、図３０（ｂ）の括弧内に示すものとなる。よって、図３０及び図３１に示すホルダー７においても、図４２及び図４３に示すホルダー７と同様の構成として、光源装置の厚み方向にて、ホルダー７（第１中空部の縁から延びた壁面），導光体ホルダー５，板状部材８の順で配列したものとしてもよい。図４４（ａ）（ｂ）は両者共通の構造を示す断面図である。
【０１３１】
実施の形態３に係る光源装置は、図４２（ａ）及び図４３（図４５（ａ）及び図４６も同じ）に記載の光源装置の導光体ホルダー５は、ホルダー７の第１開口の縁に対向する押し当て面部を有している。具体的には、押し当て面部は、導光体４の屈曲部分の外周側を覆う導光体ホルダー５の部分に相当する。この押し当て面部は、導光体ホルダー５の摺動範囲（移動範囲）を制限するようにしてもよい。なお、導光体４の膨脹が最大となったときに押し当て面部が第１開口の縁に接触直前となるようにしてもよい。この場合、押し当て面部は押し当て面部ではなく対向面部となる。
【０１３２】
図４２及び図４３に記載の導光体ホルダー５の端部は、ホルダー７が（導光体ホルダー５の端部を）摺動可能に保持する、又は、導光体ホルダーの端部５は、第１中空部上で長手方向に伸縮するものである。同じく、図４５及び図４６に記載の導光体ホルダー５の端部は、ホルダー７が（導光体ホルダー５の端部を）摺動可能に保持する、又は、導光体ホルダーの端部５は、第１中空部上で長手方向に伸縮するものである。但し、図４２及び図４３に記載の導光体ホルダー５と図４５及び図４６に記載の導光体ホルダー５とでは、ホルダー７と接触する可能性ある部位が異なる。詳しくは、図４２及び図４３に記載の導光体ホルダー５の端部の一部は、板状部材８と接触して摺動、又は、板状部材８上で長手方向に伸縮することになる。
【０１３３】
実施の形態３に係る光源装置は、導光体４の端部が板状端部８０４（締結部８０９ｓ）側に屈曲しており、締結部８０９ｓに締結された発光部３（発光素子１）から出た光が、板状端部８０４（締結部８０９ｓ）側に端部が屈曲した導光体４の端面４ａ（光入射部４ａ）から入射される。この後の基本動作は、実施の形態１及び２に係る光源装置と同様である。導光体４の屈曲の主要部分は、実施の形態２ではＸＺ平面上に存在したが、実施の形態３ではＸＹ平面上に存在している。実施の形態３に係る光源装置の導光体４においても、光散乱パターン４ｃは少なくとも画像読取装置の主走査方向の有効読取領域に対応する部分に少なくとも形成されておればよい。また、導光体４の屈曲部分から、他の部分よりも多め又は少なめに光を出射させるようにすることで、有効読取領域の端部（ホルダー７の近傍）における輝度などの調整を行ってもよい。
【０１３４】
図４７に記載の光源装置は、図４１〜図４６に記載の光源装置では発光部３（基板２）が締結部８０６ｓにネジ１０（図示省略）で締結していたことに対して、発光部３（基板２）が発光部用切り欠き８０９ｓを介して板状部材８に取り付けられるものである。前述のとおり、発光部用切り欠き８０９ｓは、板状端部８０４に周囲を完全に囲まれた発光部用孔８０９ｓでもよい。
【０１３５】
図４７に加え、図４１における実施の形態３に係る光源装置の板状部材８ａ（板状部材８）は、発光部３が接触する板状端部８０４を長手方向（導光体４に対してネジ穴８０５の外側の空間側）に延長して、折り曲げて、短手方向、又は、長手方向及び短手方向に延在するL字状又はコ字状の放熱板を形成してもよい（図示は省略する）。長手方向及び短手方向に折り曲げる場合は、板状端部８０４と平行となるようにする場合と、板状端部８０３と平行となるようにする場合とがある。板状端部８０３と平行となるようにする場合は、斜面部８０１（反射板支持部８０１）に対し長辺側壁部と反対の側で対向して長手方向に延在する放熱板を形成することになる（図示は省略するが、反射板１１の反射面の反対の面側に放熱板を形成することになる）。もちろん、放熱板を板状部材８の底面側に延在させて形成してよい。同じく、図４１及び図４７における実施の形態３に係る光源装置の板状部材８ａ（板状部材８）は、図１４及び図１５に示す延長導光体ホルダー固定部８０２ｅや延長板状端部８０４ｅを放熱板として形成してもよい。放熱板に関しては、実施の形態２に係る光源装置における板状部材８でも同様である。
【０１３６】
実施の形態３に係る光源装置は、ホルダー７の第１開口及び第２開口の間に光学フィルタ６を発光部３と所定の間隔を維持して支持するものである。さらに、導光体４の端面４ａ（光入射部４ａ）と発光部３（光学フィルタ６）とが接触しないものである。なお、図４１と図４７との対比を容易にするために、図４７では伝熱体９が筐体である板状端部８０４（発光部用切り欠き８０９ｓ）と側面の一部だけ接触しているように図示しているが、実際は、伝熱体９の側面以外の部分と板状端部８０４とを直接又は間接的に接触させて熱を伝導させてもよいし、伝熱体９を設けなくてもよい。
【０１３７】
実施の形態３に係る光源装置における締結部８０６ｓ及び発光部用切り欠き８０９ｓ（発光部用孔８０９ｓ）は板状端部８０４（導光体ホルダー５側）以外にも、板状端部８０３（反射板１１側）に形成してもよい。この場合は、導光体４の屈曲方向が反対となる（図４１及び図４７上では屈曲方向の上下が反対となる）。また、板状端部８０３，板状端部８０４以外に、締結部８０６ｓ及び発光部用切り欠き８０９ｓ（発光部用孔８０９ｓ）を形成してもよい。例えば、板状部材８（板状部材８ａ）の長手方向に折れ曲がった部分に形成された締結部８０６と同じように、板状部材８（板状部材８ａ）の短手方向に折れ曲がった部分に、締結部８０６ｓ及び発光部用切り欠き８０９ｓ（発光部用孔８０９ｓ）を形成してもよい。
【符号の説明】
【０１３８】
１・・発光素子、２・・基板（ＬＥＤ基板）、３・・発光部、４・・導光体、４ａ・・光入射部（導光体４の端面）、４ｂ・・光出射部（導光体４の側面）、４ｃ・・光散乱パターン、４ｄ・・突起部、５・・導光体ホルダー、５ａ・・導光体係止部、５ｂ・・第１突起部、５ｃ・・第２突起部、５ｄ・・嵌合孔（導光体４用）、６・・光学フィルタ、７・・ホルダー７・・板状部材、８ａ・・板状部材（折り曲げ前）、８ｂ・・長孔（導光体ホルダー５用）、８ｃ・・嵌合孔（導光体ホルダー５用）、８ｓ・・板状部材（折り曲げ前）、８０１・・反射板支持部（二箇所折り曲げ，斜面部）、８０１ｅ・・延長反射板支持部、８０１ｂ・・反射板支持部（一箇所折り曲げ，斜面部）、８０２・・導光体ホルダー固定部、８０２ｅ・・延長導光体ホルダー固定部、８０３・・板状端部（反射板１１側）、８０３ｅ・・延長板状端部（反射板１１側）、８０４・・板状端部（導光体ホルダー５側）、８０４ｅ・・延長板状端部（導光体ホルダー５側）、８０５・・ネジ穴、８０６・・締結部、８０６ｇ・・締結部、８０６ｓ・・締結部、８０７・・反射光通過孔（ロッドレンズ保持部）、８０８・・一体端部、８０９・・発光部用孔（発光部用切り欠き）、８０９ｓ・・発光部用切り欠き（発光部用孔）、９・・伝熱体、１０・・ネジ、１１・・反射板（ミラー）。
【図１】
2014006979.tif 000003
【図２】
2014006979.tif 000004
【図３】
2014006979.tif 000005
【図４】
2014006979.tif 000006
【図５】
2014006979.tif 000007
【図６】
2014006979.tif 000008
【図７】
2014006979.tif 000009
【図８】
2014006979.tif 000010
【図９】
2014006979.tif 000011
【図１０】
2014006979.tif 000012
【図１１】
2014006979.tif 000013
【図１２】
2014006979.tif 000014
【図１３】
2014006979.tif 000015
【図１４】
2014006979.tif 000016
【図１５】
2014006979.tif 000017
【図１６】
2014006979.tif 000018
【図１７】
2014006979.tif 000019
【図１８】
2014006979.tif 000020
【図１９】
2014006979.tif 000021
【図２０】
2014006979.tif 000022
【図２１】
2014006979.tif 000023
【図２２】
2014006979.tif 000024
【図２３】
2014006979.tif 000025
【図２４】
2014006979.tif 000026
【図２５】
2014006979.tif 000027
【図２６】
2014006979.tif 000028
【図２７】
2014006979.tif 000029
【図２８】
2014006979.tif 000030
【図２９】
2014006979.tif 000031
【図３０】
2014006979.tif 000032
【図３１】
2014006979.tif 000033
【図３２】
2014006979.tif 000034
【図３３】
2014006979.tif 000035
【図３４】
2014006979.tif 000036
【図３５】
2014006979.tif 000037
【図３６】
2014006979.tif 000038
【図３７】
2014006979.tif 000039
【図３８】
2014006979.tif 000040
【図３９】
2014006979.tif 000041
【図４０】
2014006979.tif 000042
【図４１】
2014006979.tif 000043
【図４２】
2014006979.tif 000044
【図４３】
2014006979.tif 000045
【図４４】
2014006979.tif 000046
【図４５】
2014006979.tif 000047
【図４６】
2014006979.tif 000048
【図４７】
2014006979.tif 000049